(57)【特許請求の範囲】
【請求項１】
電子装置であって、
フレキシブルディスプレイと、
内部コンポーネントであって、前記フレキシブルディスプレイが前記電子装置の外部のアクションによって変形されうるものであり、前記フレキシブルディスプレイの変形が当該内部コンポーネントからの応答を生成する、内部コンポーネントと、
少なくとも１つの開口を有する堅牢なカバー層であって、当該カバー層は前記フレキシブルディスプレイを実質的にカバーし、前記少なくとも１つの開口は前記内部コンポーネントと整列するように配置される、堅牢なカバー層と、
を備える、電子装置。
【請求項２】
前記フレキシブルディスプレイは、フレキシブルディスプレイ層とタッチ感知層とを含む請求項１に記載の電子装置。
【請求項３】
前記フレキシブルディスプレイのフレキシブルディスプレイ層は、アクティブなディスプレイ領域を含み、そして前記内部コンポーネントは、前記フレキシブルディスプレイのアクティブなディスプレイ領域の一部分で覆われる、請求項２に記載の電子装置。
【請求項４】
前記内部コンポーネントは、ボタンを含み、そして前記フレキシブルディスプレイの変形でそのボタンが圧縮される、請求項３に記載の電子装置。
【請求項５】
前記開口は、前記堅牢なカバー層の穴を含み、前記ボタンは、その開口にボタン部材を含み、該ボタン部材は、前記堅牢なカバー層の穴内を移動し、そして前記開口におけるボタン部材の移動は、前記フレキシブルディスプレイの変形を引き起こす、請求項４に記載の電子装置。
【請求項６】
前記内部コンポーネントは、圧力センサを含み、そして前記フレキシブルディスプレイの変形がその圧力センサに機械的圧力を作用させる、請求項３に記載の電子装置。
【請求項７】
前記圧力センサは、圧電アクチュエータを含み、そして前記機械的圧力は、前記圧電アクチュエータに電圧を誘起する、請求項６に記載の電子装置。
【請求項８】
前記内部コンポーネントは、前記電子装置の外部で発生する音を検出するためのレーザマイクロホンを含み、そして音の検出は、前記フレキシブルディスプレイの変形をレーザで検出することを含む、請求項３に記載の電子装置。
【請求項９】
電子装置であって、
フレキシブルディスプレイと、
前記フレキシブルディスプレイを通して音を送信又は受信するオーディオコンポーネントと、
少なくとも１つの開口を有する堅牢なカバー層であって、当該カバー層は前記フレキシブルディスプレイを実質的にカバーし、前記少なくとも１つの開口は前記オーディオコンポーネントと整列するように配置される、堅牢なカバー層と、
を備えた電子装置。
【請求項１０】
前記フレキシブルディスプレイは、アクティブなディスプレイ領域を含み、そして前記オーディオコンポーネントは、前記フレキシブルディスプレイのアクティブなディスプレイ領域の後方にマウントされる、請求項９に記載の電子装置。
【請求項１１】
前記フレキシブルディスプレイは、フレキシブルディスプレイ層とタッチ感知層とを含む請求項１０に記載の電子装置。
【請求項１２】
前記オーディオコンポーネントは、ダイアフラムを含み、そしてそのダイアフラムは、前記フレキシブルディスプレイに接触するようにマウントされる、請求項１０に記載の電子装置。
【請求項１３】
ハウジングと、
前記ハウジングにマウントされたフレキシブルディスプレイと、
前記フレキシブルディスプレイの一部分の下にマウントされた第１の内部コンポーネントであって、前記フレキシブルディスプレイの一部分を変形する第１の内部コンポーネントと、
少なくとも１つの開口を有する堅牢なカバー層であって、当該カバー層は前記フレキシブルディスプレイを実質的にカバーし、前記少なくとも１つの開口は前記第１の内部コンポーネントと整列するように配置される、堅牢なカバー層と、
を備えた、電子装置。
【請求項１４】
前記第１の内部コンポーネントは、圧電アクチュエータを含み、該圧電アクチュエータに印加される電圧で圧電アクチュエータが膨張され、そしてその圧電アクチュエータの膨張に応答して前記フレキシブルディスプレイの一部分が変形する、請求項１３に記載の電子装置。
【請求項１５】
前記第１の内部コンポーネントは、構造コンポーネントを含み、前記フレキシブルディスプレイの一部分は、その構造コンポーネントとの物理的接触に応答して変形し、そして前記フレキシブルディスプレイの一部分が変形すると、前記フレキシブルディスプレイのその一部分が前記構造コンポーネントの表面に合致させられる、請求項１３に記載の電子装置。
【請求項１６】
前記フレキシブルディスプレイの一部分の下にマウントされた第２の内部コンポーネントを更に備え、前記構造コンポーネントの表面に合致する前記フレキシブルディスプレイ一部分は、前記第２の内部コンポーネントの位置を指示する、請求項１５に記載の電子装置。
【請求項１７】
前記第２の内部コンポーネントは、ボタンを含み、前記フレキシブルディスプレイの一部分は、前記電子装置の外部のアクションで更に変形されるように構成され、そして前記フレキシブルディスプレイの一部分の更なる変形で前記ボタンが圧縮される、請求項１６に記載の電子装置。
【請求項１８】
前記第１の内部コンポーネントは、更に、アクチュエータを含み、このアクチュエータに前記構造コンポーネントがマウントされ、前記アクチュエータを上昇させると、前記構造コンポーネントを前記フレキシブルディスプレイの一部分と接触させるよう移動し、そして前記アクチュエータを下降させると、前記構造コンポーネントを、前記フレキシブルディスプレイとの接触を解除させるよう移動する、請求項１５に記載の電子装置。
【請求項１９】
前記フレキシブルディスプレイは、前記フレキシブルな有機発光ダイオードアレイが形成されるフレキシブルディスプレイ基板であって、当該フレキシブルディスプレイ基板は前記フレキシブルタッチ感知層及び前記第１の内部コンポーネントの間に配置され、前記フレキシブルタッチ感知層は容量性タッチセンサ電極のアレイを含む、フレキシブルディプレイ基板を含む、請求項１８に記載の電子装置。
【発明の詳細な説明】
【技術分野】
【０００１】
本発明は、一般的に、フレキシブルディスプレイに関するもので、より詳細には、フレキシブルディスプレイを伴う電子装置に関する。
【０００２】
本願は、２０１１年６月２８日に出願された米国特許出願第１３／１７１，２９５号、２０１１年５月１６日に出願された米国特許出願第１３／１０８，２５６号、２０１１年７月１５日に出願された米国特許出願第１３／１８４，３０３号、２０１２年３月１６日に出願された米国特許出願第１３／４２２，７２４号、２０１１年３月２１日に出願されたプロビジョナル特許出願第６１／４５４，８９４号、２０１１年３月２１日に出願されたプロビジョナル特許出願第６１／４５４，９３６号、及び２０１１年３月２１日に出願されたプロビジョナル特許出願第６１／４５４，９５０号の優先権を主張するもので、これらは、参考として、ここにそのまま援用される。
【背景技術】
【０００３】
ポータブルコンピュータ及びセルラー電話のような電子装置は、堅牢なディスプレイ構造体から作られた堅牢なディスプレイがしばしば設けられる。例えば、液晶ディスプレイ（ＬＣＤ）は、ユーザへ視覚フィードバックを与えるためのディスプレイピクセルをもつ薄膜トランジスタ層、ディスプレイピクセルに色を与えるためのカラーフィルタ層、ユーザからタッチ入力を収集するためのタッチスクリーンパネル、ディスプレイ及び内部コンポーネントを保護するためのカバーガラス層、等の堅牢なディスプレイ構造体のスタックから形成される。
【０００４】
又、従来の装置は、ボタン、マイクロホン、スピーカ、他のコンポーネント、等の入力／出力コンポーネントも有している。これら入力／出力コンポーネントの操作を許すために従来装置のハウジングには、通常、開口が形成される。例えば、装置ハウジングにはスピーカ及びマイクロホンポートを収容するための開口が形成され、又、ディスプレイカバーガラス層にはスピーカポート及びメニューボタンを収容するための開口が形成される。
【０００５】
入力／出力コンポーネントを収容するためにこれらの開口を含ませることは、望ましいことではない。例えば、開口の存在は、審美的な魅力に欠け、環境への露出からダメージのおそれが高まり、そしてユーザに画像を表示するのに利用できるアクティブな表示エリアの量を減少させ得る。
【０００６】
多くの場合、これら入力／出力コンポーネントをマウントするのに利用できる占有面積が非常に僅かである。例えば、入力／出力コンポーネントは、多くの場合、ディスプレイのインアクティブな部分の下か又は電子装置ハウジングの側壁内にマウントされる。
【０００７】
スピーカのような入力／出力コンポーネントのサイズ及び個数は、それらの位置に利用できるスペースの量により制限される。例えば、従来の装置では、ディスプレイのインアクティブな部分の下に単一のスピーカがマウントされる。そのようなスピーカのサイズ及びクオリティは、ディスプレイのインアクティブな部分にスペースがないことにより制限される。更に、ディスプレイのインアクティブな部分にスピーカをマウントすることで、ディスプレイのインアクティブな部分に望ましからぬ巾が付加される。
【０００８】
平坦なカバーガラス層をもつ装置は、落下時に表面にスクラッチ及びダメージが生じる傾向がある。ユーザは、保護ケースを使用すれば、落下事故からスクラッチ及びダメージを最小にすることができる。しかしながら、保護ケースは、多くのユーザにとって不便であり又は審美的な魅力に欠ける。
【０００９】
多くの場合、最小サイズのポータブル装置を生産することが望まれる。ポータブル電子装置のユーザは、厚い装置より薄い装置の方が望ましいことを知っている。コンパクトなポータブル装置に時々凸状のハウジング形状が与えられる。凸状のハウジング形状は、ユーザにとって審美的に満足なスマートな薄い見掛けを保ちながら、装置の内部容積を増加する。
【００１０】
凸状ハウジングをもつコンパクトなポータブル装置は、ディスプレイを有する。従来の構成では、ディスプレイは、フラットであり、従って、ディスプレイ以外の装置の部分のみが凸状である。これは、装置の内部容積を制限し、その見掛けを悪くする。
【発明の概要】
【発明が解決しようとする課題】
【００１１】
それ故、改良された電子装置を提供できることが望まれる。
【課題を解決するための手段】
【００１２】
電子装置には、フレキシブルディスプレイが設けられる。このフレキシブルディスプレイは、１つ以上のフレキシブルな層より成り、そしてカバー層の上又は下にマウントされる。例えば、フレキシブルディスプレイは、堅牢な支持部材の上部にマウントされるか、又は堅牢なカバー層の下面にマウントされる。
【００１３】
又、電子装置には、ユーザインターフェイスコンポーネント（入力／出力コンポーネント）、例えば、ボタン、マイクロホン、スピーカ、圧電アクチュエータ（ユーザからの電気的入力又はユーザへの触覚フィードバックを受け取るための）、又は他のアクチュエータ、例えば、バイブレータ、圧力センサ、及び他のコンポーネントも設けられる。これらのコンポーネントは、フレキシブルディスプレイの部分の下にマウントされる。
【００１４】
電子装置の動作中に、ディスプレイのフレキシビリティのために、ユーザは、ディスプレイを通してコンポーネントと相互作用することができる。例えば、スピーカからの音波又は電子装置のアクチュエータからの局所的な振動がフレキシブルディスプレイを通過する。又、フレキシブルディスプレイは、内部マイクロホン、圧力センサ或いは力センサ（又は他の内部コンポーネント）で外部入力を受け取れるようにする。例えば、ユーザは、指又は他の外部物体を使用してフレキシブルディスプレイをそらせることができ、フレキシブルディスプレイを通して気圧を監視することができ、又はフレキシブルディスプレイを通して音波を受信することができる。
【００１５】
コンポーネントは、フレキシブルディスプレイの物理的に変形された部分（例えば、ユーザがディスクプレイに圧力加えてコンポーネントを圧縮させるときに生じる変形）を通して入力を受け取り、又は出力を供給する。ある構成では、フレキシブルディスプレイの一部分が、マイクロホン、スピーカ、圧力センサ又は他の電子的コンポーネントの一部分を形成する膜として働く。
【００１６】
フレキシブルディスプレイを変形することによりボタンスイッチのようなコンポーネントをユーザが圧縮できることで、視覚ディスプレイとして利用できる装置のエリアを拡大することができる。例えば、フレキシブルディスプレイのアクティブなエリアは、ボタン又はスピーカのようなコンポーネントに重畳する。
【００１７】
必要に応じて、内部コンポーネントによりフレキシブルディスプレイを変形してユーザに聴覚又は触覚フィードバックを与えることができる。例えば、電子装置内の構造体をフレキシブルディスプレイの部分に対して押し付けて、視覚オンスクリーンボタンの輪郭を一時的に生成したり、又はキーボード（キーパッド）におけるキーの位置を画成するように働く隆起線の格子を一時的に生成したりすることができる。
【００１８】
電子装置には、凹面ディスプレイが設けられる。凹面ディスプレイの周縁部分は、凹面ディスプレイのくぼんだ中央部分に対して立ち上っている。これは、ディスプレイの中央部分との接触によるスクラッチ及び他のダメージを減少する上で助けとなる。
【００１９】
凹面ディスプレイは、１つ以上のフレキシブルディスプレイ層を含み、そしてカバー層の上部又は下部にマウントされる。例えば、フレキシブルディスプレイ層は、堅牢な支持部材の上部にマウントされてもよいし、又は堅牢なカバー層の下面にマウントされてもよい。
【００２０】
又、凹面ディスプレイは、フレキシブルディスプレイ層の上部又は下部にタッチセンサアレイ層をスタックすることによりタッチ感知能力も含むことができる。フレキシブルディスプレイ層、タッチ感知層、及び堅牢なカバー層又は堅牢な支持構造体から堅牢な凹面ディスプレイが形成される。
【００２１】
カーブしたフレキシブルディスプレイ層から形成された凹面ディスプレイを有する装置は、電子装置の内部容積の利用率を最大にする上で助けとなる。
【００２２】
電子装置には、凸面ディスプレイが設けられる。凸面ディスプレイは、１つ以上のフレキシブルディスプレイ層を含み、そしてカーブした形状のカバー層の上部又は下部にマウントされる。例えば、フレキシブルディスプレイ層は、凸面を有する堅牢な支持部材の上部にマウントされるか、又は堅牢な凸面ディスプレイカバー層の凹状下面にマウントされる。
【００２３】
凸面ディスプレイには、フレキシブルディスプレイ層の上部又は下部にタッチセンサアレイをスタックすることによりタッチ感知能力が与えられる。フレキシブルディスプレイ層、タッチ感知層、及び堅牢なカバー層又は支持構造体から、堅牢な凸面ディスプレイが形成される。
【００２４】
カーブしたフレキシブルディスプレイ層から形成された凸面ディスプレイを有する装置は、電子装置の内部容積の利用率を最大にする上で助けとなる。
【００２５】
カバーガラス層のようなディスプレイカバーがフレキシブルディスプレイ上にマウントされる。フレキシブルディスプレイは、１枚以上のポリマーシートで形成されたフレキシブル構造体を有する有機発光ダイオードディスプレイである。フレキシブルディスプレイは、容量性タッチセンサ電極のアレイを有するタッチセンサ層を含む。
【００２６】
電子装置には、１つ以上のディスプレイベースのスピーカ構造体がある。ディスプレイベースのスピーカ構造体は、フレキシブルディスプレイの下にマウントされる。フレキシブルディスプレイの部分は、ディスプレイベースのスピーカ構造体のスピーカ膜として使用される。
【００２７】
フレキシブルディスプレイは、ユーザに画像を表示するように構成されたアクティブなエリアを有する。スピーカ膜は、フレキシブルディスプレイのアクティブな部分から形成される。ディスプレイベースのスピーカ構造体は、電子装置の回路から電気的な音声信号入力を受信するトランスジューサにより駆動される。圧電トランスジューサ、又はコイルや磁石から形成されるトランスジューサを使用して、ディスプレイベースのスピーカ構造体を駆動してもよい。
【００２８】
スピーカ膜として使用されるフレキシブルディスプレイの一部分を補剛するために補剛構造体が使用される。補剛構造体は、補剛材料シート間に介在される発泡層から形成される。補剛構造体は、スピーカ膜がトランスジューサに正確に応答できるようにする硬くて軽量の支持構造体を形成する。
【００２９】
ディスプレイベースのスピーカ構造体を周囲のハウジング構造体に取り付けるために懸架構造体が使用される。この懸架構造体は、スピーカ構造体と、周囲のハウジング構造体との間の柔軟なインターフェイスを形成する。懸架構造体は、スピーカ構造体の横方向の動きを禁止しながら、スピーカの動作中にスピーカ構造体を振動できるようにする。
【００３０】
スピーカ構造体は、望ましい周波数応答を達成するように構成される。スピーカ構造体がマウントされる電子装置ハウジングには、スピーカ周波数応答をチューニングするために音響ポートが設けられる。スピーカに使用されるトランスジューサの形式は、スピーカ周波数応答をチューニングするように選択される。スピーカの体積及びスピーカの質量に影響する内部装置コンポーネントのサイズ及び配置も、スピーカ周波数応答をチューニングするように選択される。
【００３１】
電子装置には、ディスプレイベースのスピーカ構造体のアレイが設けられる。各スピーカ構造体のスピーカ膜は、関連補剛構造体で補剛される。補剛された各スピーカ膜は、横方向の振動を吸収し、ひいては、隣接スピーカ間の干渉を防止するように構成されたフレキシブルディスプレイのリングにより取り巻かれる。
【００３２】
本発明の更に別の特徴、その特性及び種々の効果は、添付図面及び好ましい実施形態の以下の詳細な説明から明らかとなろう。
【図面の簡単な説明】
【００３３】
【図１】本発明の一実施形態によるフレキシブルディスプレイ及び内部コンポーネントを伴う電子装置を例示する斜視図である。
【図２】本発明の一実施形態によるフレキシブルディスプレイを形成するのに使用されるディスプレイ層のセットを例示する図である。
【図３】本発明の一実施形態による内部ユーザインターフェイスコンポーネントの付近における電子装置の一部分を例示する断面側面図である。
【図４】本発明の一実施形態によるボタンの付近における電子装置の一部分を例示する断面側面図である。
【図５】本発明の一実施形態によるボタンの付近における電子装置の一部分の別の実施形態の断面側面図である。
【図６】本発明の一実施形態によるオーディオコンポーネントの付近における電子装置の一部分を例示する断面側面図である。
【図７】本発明の一実施形態によるオーディオコンポーネントの付近における電子装置の一部分の別の実施形態の断面側面図である。
【図８】本発明の一実施形態によるオーディオコンポーネントの付近における電子装置の一部分の更に別の実施形態の断面側面図である。
【図９】本発明の一実施形態による圧電アクチュエータのようなアクチュエータの付近における電子装置の一部分を例示する断面側面図である。
【図１０】本発明の一実施形態による内部構造コンポーネントの付近における電子装置の一部分を例示する断面側面図である。
【図１１】本発明の一実施形態による結合内部インターフェイスコンポーネントの付近における電子装置の一部分を例示する断面側面図である。
【図１２】本発明の一実施形態によるフレキシブルディスプレイ及び結合内部インターフェイスコンポーネントを伴う電子装置の一部分の斜視図である。
【図１３】本発明の一実施形態によりアクチュエータ段にマウントされたフレキシブルディスプレイ及び結合内部インターフェイスコンポーネントを伴う電子装置の一部分の斜視図である。
【図１４】本発明の一実施形態によりアクチュエータ段にマウントされた内部構造コンポーネントの付近における電子装置の一部分を例示する断面側面図である。
【図１５】本発明の一実施形態によりアクチュエータにマウントされたカバー及び内部構造コンポーネントを伴う電子装置の一部分を例示する断面側面図である。
【図１６】本発明の一実施形態による圧力センサに付近における電子装置の一部分を例示する断面側面図である。
【図１７】本発明の一実施形態による凹面ディスプレイ及びベゼルを伴う電子装置を例示する斜視図である。
【図１８】本発明の一実施形態により支持構造体の凹面形状に合致するフレキシブルディスプレイ層を伴う凹面ディスプレイを有する電子装置の断面側面図である。
【図１９】本発明の一実施形態により接着剤層により接合されたカバー層及びフレキシブルディスプレイ層を有する電子装置の一部分を例示する断面側面図である。
【図２０】本発明の一実施形態により接着剤層により接合されたフレキシブルディスプレイ層、フレキシブルタッチ感知層及びカバー層を有する電子装置の一部分を例示する断面側面図である。
【図２１】本発明の一実施形態により落下面から装置を保護するように選択された曲率半径をもつ凹面ディスプレイを有する電子装置を例示する断面側面図である。
【図２２】本発明の一実施形態によりハウジング構造体から形成されたベゼル及び凸面ディスプレイを伴う電子装置を例示する斜視図である。
【図２３】本発明の一実施形態による凸面ディスプレイ及び内部コンポーネントを伴う電子装置を例示する断面側面図である。
【図２４】本発明の一実施形態により支持構造体に合致するフレキシブルディスプレイ層を伴う凸面ディスプレイを有する電子装置の一部分を例示する断面側面図である。
【図２５】本発明の一実施形態により接着剤層により接合された凸面カバー層及びフレキシブルディスプレイ層を有する電子装置の一部分を例示する断面側面図である。
【図２６】本発明の一実施形態により接着剤層により接合されたフレキシブルディスプレイ層、タッチ感知層及び凸面カバー層を有する電子装置の一部分を例示する断面側面図である。
【図２７】本発明の一実施形態により装置の内部容積を使用するように構成されたコネクタポート及び凸面ディスプレイを有する電子装置を例示する断面斜視図である。
【図２８】本発明の一実施形態による凸面ディスプレイ及び内部コンポーネントを有する電子装置を例示する断面斜視図である。
【図２９】本発明の一実施形態により凸面ディスプレイによって実質的に取り巻かれた電子装置を例示する断面側面図である。
【図３０】本発明の一実施形態によるディスプレイ及び１つ以上のスピーカ構造体を有するポータブルコンピュータのような電子装置を例示する図である。
【図３１】本発明の一実施形態によるディスプレイ及び１つ以上のスピーカ構造体を有するセルラー電話又は他のハンドヘルド装置のような電子装置を例示する図である。
【図３２】本発明の一実施形態によるディスプレイ及び１つ以上のスピーカ構造体を有するタブレットコンピュータのような電子装置を例示する図である。
【図３３】本発明の一実施形態によるディスプレイ及び１つ以上のスピーカ構造体を有する内蔵コンピュータを伴うコンピュータモニタのような電子装置を例示する図である。
【図３４】本発明の一実施形態によりフレキシブルディスプレイを形成するのに使用されるディスプレイ層のセットを例示する図である。
【図３５】本発明の一実施形態により有機発光ダイオードディスプレイを形成するのに使用されるディスプレイ層のセットを例示する図である。
【図３６】本発明の一実施形態によりフレキシブルディスプレイがスピーカ構造体の一部分を形成する電子装置の一部分を例示する断面側面図である。
【図３７】本発明の一実施形態によりフレキシブルディスプレイがスピーカ構造体の一部分を形成する電子装置の一部分を例示する断面側面図である。
【図３８】本発明の一実施形態によりフレキシブルディスプレイがスピーカ構造体の一部分を形成する電子装置の一部分を例示する断面側面図である。
【図３９】本発明の一実施形態によりスピーカ開口をもつカバー層を有する図３８に示す形式の電子装置を例示する斜視図である。
【図４０】本発明の一実施形態によりフレキシブルディスプレイが支持構造体で補剛された電子装置の一部分を例示する断面側面図である。
【図４１】本発明の一実施形態によるカーブした支持構造体をもつカーブしたフレキシブルディスプレイを有する電子装置の一部分を例示する断面側面図である。
【図４２】本発明の一実施形態によりフレキシブルディスプレイが単一スピーカ構造体の一部分を形成する電子装置の一部分を例示する断面側面図である。
【図４３】本発明の一実施形態によりフレキシブルディスプレイがスピーカ構造体のアレイの一部分を形成する電子装置の一部分を例示する断面側面図である。
【図４４】本発明の一実施形態によりスピーカ構造体のアレイの一部分を形成するフレキシブルディスプレイを有する図４３に示す形式の電子装置を例示する下面図である。
【発明を実施するための形態】
【００３４】
電子装置にはフレキシブルディスプレイが設けられる。フレキシブルディスプレイは、１つ以上のフレキシブルな層を含む。必要に応じて、フレキシブルディスプレイは、フレキシブルな又は堅牢なディスプレイカバー層を含む。
【００３５】
ある構成において、電子装置には、フレキシブルディスプレイと、このフレキシブルディスプレイの後方に位置され、又はそれに当接され、又はそれに一体化されたユーザインターフェイスコンポーネントとが設けられる。図１ないし１６は、ユーザインターフェイスコンポーネントがフレキシブルディスプレイの後方に位置され、又はそれに当接され、又はそれに一体化される構成の実施例を示す。
【００３６】
ある構成において、電子装置には、１つ以上のフレキシブルディスプレイ層を有する凹面ディスプレイが設けられる。図１、２及び１７−２１は、１つ以上のフレキシブルディスプレイ層を有する凹面ディスプレイが電子装置に設けられた構成の実施例を示す。
【００３７】
ある構成において、電子装置には、１つ以上のフレキシブルディスプレイ層を有する凸面ディスプレイが設けられる。図１、２及び２２−２９は、１つ以上のフレキシブルディスプレイ層を有する凸面ディスプレイが電子装置に設けられた構成の実施例を示す。
【００３８】
ある構成において、フレキシブルディスプレイの一部分は、スピーカ、マイクロホン、レーザマイクロホン又は圧力センサのような電子コンポーネントの膜構造体を形成する。図３０−４４は、フレキシブルディスプレイの一部分が電子コンポーネントの膜構造体を形成する構成の実施例を示す。
【００３９】
図１−１６の実施例に示すように、電子装置には、フレキシブルディスプレイ及びユーザインターフェイスコンポーネントが設けられる。ユーザインターフェイスコンポーネントは、ボタン；スイッチ；マイクロホン；ソレノイド、モータ及び圧電アクチュエータのようなアクチュエータ；コネクタポート；タッチスクリーン；接近センサ；及びユーザや周囲環境から入力を受け容れ或いはそこに情報を伝送するための他のコンポーネント；を含む。
【００４０】
フレキシブルディスプレイは、フレキシブルディスプレイ層（例えば、フレキシブルな有機発光ダイオードアレイ）、フレキシブルタッチ感知層（例えば、容量性タッチセンサのための透明なキャパシタ電極のアレイをもつポリマーシート）、フレキシブル基板層、等のフレキシブルな層から形成される。これらのフレキシブルな層は、必要に応じて、フレキシブルな又は堅牢なカバー層（カバーガラスとも称される）によりカバーされるか、或いは支持構造体（例えば、フレキシブルな層の下面の堅牢な支持構造体）によって支持される。堅牢なカバー層でカバーされるフレキシブルディスプレイを伴う電子装置では、ユーザインターフェイス装置の付近でディスプレイのフレキシブルな層へのアクセスを与える開口がカバー層に設けられる。例えば、カバーガラス層は、カバーガラス層に対してボタン部材を移動できるようにする開口を有する。ボタン部材が開口内で移動するとき、その下のフレキシブルディスプレイの部分が変形される（例えば、関連スイッチのアクションを許すために）。
【００４１】
ユーザに視覚情報を表示するのに利用できるフレキシブルディスプレイの部分のエリアを最大にするために、ユーザインターフェイスコンポーネントは、フレキシブルディスプレイの後方に位置され、又はそれに当接され、又はそれに一体化される。フレキシブルディスプレイの変形可能な性質は、ディスプレイをユーザインターフェイスコンポーネントと接触させるように移動するか、又はディスプレイを局所的に撓ませることができるようにすることにより（例えば、音声がフレキシブルディスプレイを通過できるようにするか又は外部環境の気圧測定を内部圧力センサで行えるようにするために）、ユーザがユーザインターフェイスコンポーネント（入力／出力コンポーネント）と相互作用できるようにする。必要に応じて、フレキシブルディスプレイの一部分は、電気的コンポーネントの膜部分を形成する。フレキシブルディスプレイの一部分から形成される膜が設けられたコンポーネントは、マイクロホン、レーザマイクロホン、圧力センサ、スピーカ、等を含む。
【００４２】
フレキシブルディスプレイが設けられた形式の電子装置が図１に例示されている。この電子装置１０は、ポータブル電子装置であるか又は他の適当な電子装置である。例えば、電子装置１０は、ラップトップコンピュータ、タブレットコンピュータ、腕時計装置、ペンダント装置、或いは他の着用可能又は小型装置のような若干小さな装置、セルラー電話、メディアプレーヤ、等である。
【００４３】
装置１０は、ハウジング１２のようなハウジングを備えている。時々ケースとも称されるハウジング１２は、プラスチック、ガラス、セラミック、ファイバー複合物、金属（例えば、ステンレススチール、アルミニウム、等）、他の適当な材料、或いはそれら材料の組み合わせで形成される。ある状況において、ハウジング１２の部分は、誘電体又は他の低導電率材料で形成される。他の状況において、ハウジング１２、又はハウジング１２を形成する構造体の少なくとも幾つかは、金属要素から形成される。
【００４４】
装置１０は、フレキシブルディスプレイ１４のようなフレキシブルディスプレイを有する。フレキシブルディスプレイ１４は、複数の材料層から形成される。それらの層は、容量性タッチセンサアレイを形成するためにインジウム・スズ酸化物（ＩＴＯ）電極又は他の適当な透明電極のパターンが堆積される層のようなタッチセンサ層を含む。又、それらの層は、ディスプレイピクセルのアレイを収容する層も含む。タッチセンサ層及びディスプレイ層は、（一例として）厚みが１０ミクロンないし０．５ｍｍ又は他の適当な厚みのフレキシブルなポリマーシート又は他の基板を使用して形成される。
【００４５】
ディスプレイピクセルアレイは、例えば、有機発光ダイオード（ＯＬＥＤ）アレイである。他の形式のフレキシブルディスプレイピクセルアレイが形成されてもよい（例えば、電子インクディスプレイ、等）。ここでは、一例として、ＯＬＥＤ技術を使用してフレキシブルディスプレイ１４を形成することを説明する。しかしながら、これは、単なる例示に過ぎない。フレキシブルディスプレイ１４は、適当なフレキシブルディスプレイ技術を使用して形成される。ＯＬＥＤ技術に基づくフレキシブルディスプレイの使用は、単なる例示に過ぎない。
【００４６】
これらの機能的ディスプレイ層（即ち、ＯＬＥＤアレイ及び任意のタッチセンサアレイ）に加えて、ディスプレイ１４は、１つ以上の構造層を含む。例えば、ディスプレイ１４は、フレキシブルな又は堅牢なカバー層で覆われ、及び／又は支持構造体（例えば、堅牢な支持体）にマウントされる。接着剤の層は、フレキシブルディスプレイ層を互いに取り付けるのに使用されると共に、フレキシブルディスプレイ層を堅牢な及びフレキシブルな構造層にマウントするのに使用される。
【００４７】
ディスプレイ１４のカバー層がフレキシブルであるようなディスプレイ１４の構成では、フレキシブルな層の存在に依存する入力／出力コンポーネントが、ディスプレイの下の適当な位置にマウントされる（例えば、ディスプレイの周辺部分に沿って、ディスプレイの中央部分に、等々）。フレキシブルな層が堅牢なカバーガラス層又は他の堅牢なカバー層により覆われるようなディスプレイ１４の構成では、堅牢な層に１つ以上の開口が設けられると共に、電子コンポーネントが開口の下にマウントされる。例えば、堅牢なカバー層は、ボタン１７のための円形開口１６のような開口、及び（例えば、ユーザのイヤホンのための）スピーカポート開口１８のようなスピーカポート開口を有する。又、装置１０は、他の開口を有してもよい（例えば、ボリュームボタン、リンガーボタン、スリープボタン及び他のボタンを収容するためのディスプレイ１４及び／又はハウジング１２の開口や、オーディオジャック、データポートコネクタ、除去可能なメディアスロット、等のための開口）。
【００４８】
ある実施形態では、周辺領域２０Ｉのようなフレキシブルディスプレイ１４の部分は、インアクティブであり、そして長方形の中央部分２０Ａのようなディスプレイ１４の部分（破線２０で境界定めされた）は、ディスプレイ１４のアクティブな部分に対応する。アクティブなディスプレイ領域２０Ａでは、画像ピクセルのアレイを使用して、装置１０のユーザにテキスト及び画像を提示する。アクティブな領域２０Ａでは、ディスプレイ１４は、装置１０のユーザとの相互作用及び入力のためのタッチ感知コンポーネントを含む。必要に応じて、図１の領域２０Ｉ及び２０Ａのような両領域に、ディスプレイピクセルが設けられる（即ち、装置１０のような装置の全体的に平坦な前面の全部又は実質的に全部がディスプレイピクセルで覆われる）。
【００４９】
装置１０は、必要に応じて、フレキシブルディスプレイ１４の任意の堅牢なカバー層に各々ある開口１６及び１８のような開口を占有するボタン１７又はスピーカコンポーネント１９のような内部ユーザインターフェイスコンポーネントを有する。ボタン１７は、ドームスイッチ又は他のスイッチ回路に基づく。又、ボタン１７は、プッシュボタン（例えば、瞬時ボタン）、スライダースイッチ、ロッカースイッチ、等を形成するボタン部材を含む。装置１０は、フレキシブルディスプレイ１４の一部分に立ち上った構造部を追加する構造コンポーネント２２のような内部構造コンポーネントを含む。装置１０は、インターフェイスコンポーネント２４及び２６のようなコンポーネントを含み、これは、完全に装置１０の内部にあるが、ユーザから又は周囲環境からフレキシブルディスプレイ１４との物理的相互作用を通して入力を受け取る。インターフェイスコンポーネント２２、２４及び２６は、フレキシブルディスプレイ１４のアクティブな領域２０Ａ又はインアクティブな領域２０Ｉに配置される。インターフェイスコンポーネント２２、２４及び２６は、互いに別々に配置されてもよいし、又は構造的特徴及び内部特徴をもつ合成コンポーネントを形成するように共通に配置されてもよい。インターフェイスコンポーネント２４及び２６は、フレキシブルディスプレイ１４の下に位置されて、コンポーネント２４又は２６と接触するにはフレキシブルディスプレイ１４を変形しなければならないようにしてもよいし、又は必要に応じて、フレキシブルディスプレイ１４と常時接触状態のままにするように配置されてもよい。
【００５０】
例示的ディスプレイの分解斜視図が図２に示されている。図２に示すように、フレキシブルディスプレイ１４は、フレキシブルディスプレイ層１４Ａ、タッチ感知層１４Ｂ及びカバー層１４Ｃを含む複数の層をスタックすることにより形成される。又、フレキシブルディスプレイ１４は、接着剤層、光学的フィルム又は他の適当な層のような他の材料層も含む。フレキシブルディスプレイ層１４は、発光ダイオード（ＬＥＤ）、有機ＬＥＤ（ＯＬＥＤ）、プラズマセル、電子インク要素、液晶ディスプレイ（ＬＣＤ）コンポーネント、又はフレキシブルディスプレイに適合する他の適当な画像ピクセル構造体から形成された画像ピクセルを含む。
【００５１】
タッチ感知層１４Ｂは、水平透明電極３２及び垂直透明電極３４のような容量性タッチ電極を合体している。タッチ感知層１４Ｂは、一般的に、該タッチ感知層１４Ｂにおける１つ以上のタッチ又は近タッチ(near touch)の位置を、容量性、抵抗性、光学的、音響的、誘導性又は機械的測定に基づいて、或いは１つ以上のタッチ、又はタッチ感知層１４Ｂ付近の近タッチの発生に対して測定できる現象に基づいて、検出するように構成される。
【００５２】
検出されたタッチの測定値を処理して、１つ以上のジェスチャーを識別し追跡するためにソフトウェア及び／又はハードウェアが使用される。ジェスチャーとは、タッチ感知層１４Ｂ上の静止又は非静止の、単一又は複数の、タッチ又は近タッチに対応する。ジェスチャーは、１つ以上の指又は他の物体をタッチ感知層１４Ｂ上で特定の仕方で移動することにより遂行され、例えば、タッピング(tapping)、プレッシング(pressing)、ロッキング(rocking)、スクラビング(scrubbing)、ツイスティング(twisting)、方向転換、変化する圧力でのプレッシング、等を本質的に同時に、切れ目なく、又は連続的に行うことで遂行される。ジェスチャーは、１つ以上の他の指との又はそれらの間でのピンチング(pinching)、スライディング、スワイピング、回転、撓み、ドラグ、又はタッピング運動により特徴付けられるが、それらに限定されない。単一のジェスチャーが、片手又は両手、１人以上のユーザ、又はその組み合わせで遂行されてもよい。
【００５３】
カバー層１４Ｃは、プラスチック又はガラス（時々ディスプレイカバーガラスとも称される）から形成され、フレキシブルなものでも堅牢なものでもよい。必要に応じて、カバー層１４Ｃの周辺インアクティブ部分２０Ｉの内面には、ブラックインクのような不透明なマスキング層が設けられる。
【００５４】
タッチ感知フレキシブルディスプレイ区分１４ＡＢは、ディスプレイピクセルアレイ層１４Ａ及び任意のタッチセンサ層１４Ｂから形成される。
【００５５】
図３は、内部ユーザインターフェイスコンポーネント２４の付近におけるフレキシブルディスプレイ１４の一部分の断面側面図である。フレキシブルディスプレイ１４は、圧力下ではその自然の形状から変形される。例えば、フレキシブルディスプレイ１４は、方向４０にユーザが及ぼす圧力により又は他の外力により変形される。図３に示すように、方向４０の圧力は、フレキシブルディスプレイ１４を破線４４で示すように変形させる。内部コンポーネント２４は、フレキシブルディスプレイ１４の変形により入力を受け取るように構成される。又、内部コンポーネント２４は、方向４２に一時的な戻り（回復）圧力も与える。
【００５６】
方向４２の圧力は、フレキシブルディスプレイ１４を、破線４６で示すように装置１０の外方に一時的に変形させる。方向４２の圧力は、必要に応じて、装置１０のユーザに対してディスプレイ１４の表面に望ましい触覚感触を与えるようにディスプレイ１４を変形させる内部アクチュエータによって形成される。フレキシブルディスプレイ１４は、破線４４で示された変形に続いて、その自然の形状に戻るまで、破線４６で示すように装置１０の外方にフレキシブルディスプレイを一時的に変形させる自然の弾力性を有する。内部コンポーネント２４は、ボタン；モータ、ソレノイド、バイブレータ又は圧電アクチュエータのようなアクチュエータ；圧力センサ；マイクロホン又はスピーカのようなオーディオコンポーネント；或いは他のコンポーネントである。ディスプレイ１４は、フレキシブルであるから、それらのコンポーネントは、ディスプレイ１４により覆われても効率的に動作できる。例えば、マイクロホン及びスピーカのようなオーディオコンポーネントは、フレキシブルディスプレイ１４を通して音声を受信及び送信する。気圧センサ又は力センサも、フレキシブルディスプレイ１４を通して入力を受け取る。アクチュエータのようなコンポーネントは、フレキシブルディスプレイの表面上の立ち上った隆起部又は他の外部特徴部を一時的に生成するのに使用される（例えば、オンスクリーンボタン又はボタンのグループがどこに位置されているかユーザに指示するために）。コンポーネント２４がマウントされるところのディスプレイ１４の部分は、アクティブ（即ち、ＯＬＥＤピクセル又は他のディスプレイピクセルを収容するディスプレイの部分）でもよいし、又はインアクティブ（即ち、アクティブ領域の外側のディスプレイの周囲部分）でもよい。
【００５７】
図４は、装置１０のボタン１７の付近における装置１０の一部分の断面側面図である。図４に示すように、ボタン１７は、カバー層１４Ｃの開口１６内で往復運動するボタン部材５２のようなボタン部材を有する。ユーザがボタン部材５２の外部を方向５８に押圧したとき、ボタン部材５２は、タッチ感知フレキシブルディスプレイ区分（層）１４ＡＢを押し付ける。タッチ感知フレキシブルディスプレイ区分１４ＡＢは、変形されて、ドームスイッチ５６のようなドームスイッチ又は他のスイッチメカニズムを押圧し、スイッチを作動する（例えば、内部スイッチ端子を一緒に短絡してスイッチを閉じる）。ドームスイッチ５６のようなドームスイッチは、必要に応じて、プリント回路５４のようなプリント回路にマウントされる。ドームスイッチ５６は、ユーザがボタン部材５２から圧力を解放したときにタッチ感知フレキシブルディスプレイ区分１４ＡＢを方向６０に外方にプッシュするドーム状バイアス部材を有する。ドームスイッチ５４及びプリント回路５４は、フレキシブルディスプレイ１４の後方で支持構造体５０のような支持構造体に凹設される。必要に応じて、スプリングバイアス式のバイアス部材や、ボタン部材５２のようなボタン部材をバイアスする他のバイアス構造体を伴うスイッチのような、他の形式のスイッチも使用できる。ドーム状バイアス構造体を伴うドームスイッチの使用は、単なる例示に過ぎない。
【００５８】
図５は、装置１０のボタン１７の付近における装置１０の一部分の断面側面図である。図５の実施形態は、フレキシブルディスプレイ１４のカバー層１４Ｃが堅牢なカバー層ではなく、フレキシブルなカバー層であるという点で、図４の実施形態とは異なる。フレキシブルディスプレイ１４がフレキシブルなカバー層１４Ｃを含むような実施形態では、ボタン１７は、ドームスイッチ５６及びプリント回路５４を含む。図５の実施形態では、ユーザは、フレキシブルディスプレイ１４の外部を方向５８に押し付ける。フレキシブルディスプレイ１４が変形して、ドームスイッチ５６又は他のスイッチメカニズムを押圧し、それにより、スイッチをアクチベートさせる。図４と同様に、ドームスイッチ５６のようなドームスイッチは、必要に応じて、プリント回路５４のようなプリント回路にマウントされる。ドームスイッチ５６は、ユーザがボタン部材５２から圧力を解放したときにフレキシブルディスプレイ１４を方向６０に外方にプッシュするドーム状バイアス部材を有する。ドームスイッチ５４及びプリント回路５４は、フレキシブルディスプレイ１４の後方で支持構造体５０にマウントされる。他の形式のスイッチは、スプリングバイアス式のバイアス部材又は他のバイアス構造体を使用して、ボタン部材５２のようなボタン部材をバイアスする。ドーム状バイアス構造体を伴うドームスイッチの使用は、単なる例示に過ぎない。
【００５９】
ボタン１７にアクセスするための開口をフレキシブルディスプレイ１４に必要とせずに装置１０にフレキシブルディスプレイ１４を設けることで、フレキシブルディスプレイ１４は、中断なくボタン１７の上に延びることができる。図４及び図５の両構成において、ボタンに重畳するフレキシブルディスプレイの部分は、アクティブなディスプレイ部分でもよいし、又はインアクティブなディスプレイ部分でもよい。アクティブなディスプレイ部分がボタン及び他のコンポーネントに重畳するように構成されるときには、一般的に、アクティブなディスプレイ部分としてより多くのエリアを利用できる。ボタン１７（又は他のコンポーネント）の上にフレキシブルディスプレイ１４が存在することで、装置１０の内部に水分や埃が入り込むおそれが減少する。
【００６０】
図６は、オーディオコンポーネント１９の付近における装置１０の一部分の断面側面図である。オーディオコンポーネント１９は、フレキシブルディスプレイ１４の後方でシャーシ５０に凹設される。オーディオコンポーネント１９は、装置１０のユーザに音響を与えるためのスピーカであるか、或いはユーザ又は外部環境から入力を受け取るためのマイクロホンである。図６に示す実施形態では、音響がフレキシブルディスプレイ１４を通してマイクロホンへ又はスピーカから伝送される。オーディオコンポーネント１９に重畳するフレキシブルディスプレイ１４の部分は、アクティブでもよいし又はインアクティブでもよい。コンポーネント１９がディスプレイ１４のアクティブなエリアの一部分で覆われる構成は、フレキシブルディスプレイ１４のアクティブな領域２０Ａのサイズを増加できるようにする。オーディオコンポーネント１９の上にフレキシブルディスプレイ１４が存在することは、装置１０の内部に水分又は埃が入り込むおそれを低下させる。
【００６１】
図７は、オーディオコンポーネント１９の別の実施形態の付近における装置１０の一部分の断面側面図である。図７に示す実施形態では、オーディオコンポーネント１９は、ダイアフラム７０のようなダイアフラムを収容するスピーカ又はマイクロホンである。ダイアフラム７０は、フレキシブルディスプレイ１４の下面に取り付けられる個別の構造体から形成されるか、又はフレキシブルディスプレイ１４の一部分から形成される。図６に示す実施形態と同様に、オーディオコンポーネント１９は、支持構造体５０内にマウントされる。オーディオコンポーネント１９は、磁石７４のような磁石と、電流が流れるコイル７２のようなコイルとを含む。オーディオコンポーネント１９がスピーカである場合には、コイル７２に電流が流れて、ダイアフラム７０に運動を誘起し、それにより、フレキシブルディスプレイ１４を通して音声を放射させる。オーディオコンポーネント１９がマイクロホンである場合には、装置１０の外部から発生する音波がフレキシブルディスプレイ１４に振動を誘起し、この振動がダイアフラム７０へ伝達され、最終的に、コイル７２へ伝達されて、電流が誘起される。コイル７２に発生した電流は、装置１０へ音声情報を送信するのに使用される。ダイアフラム７０は、フレキシブルディスプレイ１４に接触する個別の部材でもよいし、又はフレキシブルディスプレイ１４の一体的部分でもよい。
【００６２】
図８は、オーディオコンポーネント１９の別の考えられる実施形態の付近における装置１０の一部分の断面側面図である。図８に示すように、オーディオコンポーネント１９は、装置１０の外部で発生した音声によりフレキシブルディスプレイ１４に誘起される振動を使用して、装置１０へ伝送される信号を発生するレーザマイクロホンである。図８に示すように、オーディオコンポーネント１９は、支持構造体５０に凹設される。オーディオコンポーネント１９は、レーザコンポーネント８０のような発光コンポーネントを含む。レーザコンポーネント８０は、フレキシブルディスプレイ１４の方向にレーザビーム８４のようなレーザビームを放射する。レーザビーム８４は、フレキシブルディスプレイ１４で反射し、そして反射したレーザビーム８６のような反射レーザビームは、レーザ吸収コンポーネント８２によって吸収される。
【００６３】
レーザビーム８４及び反射レーザビーム８６は、レーザ８０及び光感知素子８２と組み合わせて使用されて、フレキシブルディスプレイ１４からコンポーネント８０及びコンポーネント８２への距離８８の変化を監視する。装置１０の外部で発生する音波は、フレキシブルディスプレイ１４に振動を誘起し、距離８８を振動させる。距離８８の振動は、装置１０により音響関連情報に変換される。
【００６４】
図９は、図１のコンポーネント２２のようなコンポーネントの付近における装置１０の一部分の断面側面図である。図９に示す実施形態では、コンポーネント２２は、圧電（アクチュエータ９０）のようなアクチュエータを含む。圧電アクチュエータ９０のような圧電アクチュエータは、印加される制御電圧に応答して形状（例えば、厚み）が変化し、そして圧縮時に出力電圧を発生する（即ち、アクチュエータ９０の圧電素子は、制御可能なアクチュエータとして働くのに加えて力センサとして働くことができる）。装置１０のユーザは、フレキシブルディスプレイ１４に方向９２の力を作用させる。フレキシブルディスプレイ１４が変形されて、圧電素子９０又は他の力センサに機械的圧力を作用させて、電圧を誘起し、それが装置１０へ伝送される。逆に、圧電アクチュエータ９０は、装置１０のユーザに触覚フィードバックを与えるのに使用されてもよい。圧電アクチュエータ９０の表面に印加される電圧差は、圧電アクチュエータ９０の膨張を誘起する。次いで、圧電アクチュエータ９０は、フレキシブルディスプレイ１４を方向９４に変形させて、装置１０のユーザに触覚フィードバックを与える。
【００６５】
図１０は、装置１０の構造コンポーネント２２の付近における装置１０の一部分の断面側面図である。構造コンポーネント２２は、フレキシブルディスプレイ１４に変形１０２のような永久的な変形を生じさせて、ディスプレイ１４におけるタッチ感知層１４Ｂの一部分１０１の位置を装置１０のユーザに指示する。部分１０１は、例えば、フレキシブルディスプレイ１４に表示されるバーチャルキーパッド（キーボード）における文字キー又は他のボタンである。ディスプレイ１４に関連したタッチセンサアレイは、ユーザ入力を収集するのに使用される（即ち、タッチセンサアレイは、ユーザが部分１０１に関連したバーチャルキーをいつ押圧したか決定するのに使用される）。又、部分１０１の位置は、フレキシブルディスプレイ１４における関連ディスプレイピクセルを使用して視覚的に指示される。時々、ユーザは、フレキシブルディスプレイ１４を見る必要なく、部分１０１を探索できることを希望する。構造コンポーネント２２を使用して部分１０１の付近でフレキシブルディスプレイ１４を変形することで、ユーザは、視覚上の助けなしに部分１０１を探索することができる。構造コンポーネント２２は、タッチ感知層１４Ｂの単一部分１０１の位置を指示する分離されたコンポーネントでもよいし、又は部分１０１のアレイの位置を指示するコンポーネント２２のアレイの１つでもよい（例えば、ディスプレイ１４に表示されるバーチャルキーパッドにおける文字、数字及び記号キーのアレイ）。構造コンポーネント２２は、支持構造体５０にマウントされた個別コンポーネントでもよいし、又は支持構造体５０の一体的部分でもよい。
【００６６】
図１１は、コンポーネント１００のようなハイブリッドコンポーネントの付近における装置１０の一部分の断面側面図である。コンポーネント１００は、内部コンポーネント２４のような内部インターフェイスコンポーネント、及び構造コンポーネント２２のような構造コンポーネントの両方を含む。構造コンポーネント２２は、内部コンポーネント２４の付近においてフレキシブルディスプレイ１４に変形１０２のような永久的な変形を生じさせ、内部コンポーネント２４の位置を装置１０のユーザに指示する。装置１０のユーザと内部コンポーネント２４との間にフレキシブルディスプレイ１４が存在することは、内部インターフェイスコンポーネント２４の位置を不明瞭にする。インターフェイスコンポーネント２４の位置は、フレキシブルディスプレイ１４にディスプレイピクセルを使用して視覚的に指示される。又、構造コンポーネント２２を使用してインターフェイスコンポーネント２４の付近でフレキシブルディスプレイ１４を変形することで、ユーザは視覚上の助けなしにインターフェイスコンポーネント２４を探索することができる。コンポーネント１００は、タッチ感知層１４Ｂの単一インターフェイスコンポーネント２４の位置を指示する分離されたコンポーネントでもよいし、又はインターフェイスコンポーネント２４のアレイの位置を指示するコンポーネント１００のアレイの１つでもよい。
【００６７】
図１２は、内部コンポーネント２４がボタン１７のようなボタンである装置１０の実施形態の斜視図である。図１２の実施形態では、図１１と同様に、コンポーネント１００は、内部コンポーネント２４及び構造コンポーネント２２（図１１に示す）を含む。図１２に示すように、フレキシブルディスプレイ１４における変形１０２のような隆起部又は他の変形は、ボタン１７の位置を指示するのに使用される。
【００６８】
図１３は、内部コンポーネント２４のような内部インターフェイスコンポーネントと、アクチュエータ段１１０のようなアクチュエータにマウントされた構造コンポーネント２２のような構造コンポーネントとを備えたコンポーネント１００のようなハイブリッドコンポーネントの別の例示的実施形態の付近における装置１０の一部分の断面側面図である。コンポーネント１００は、シャーシ５０に凹設される。アクチュエータ段１１０は、方向１１２に電気的又は機械的に上昇されて、フレキシブルディスプレイ１４に変形１０２のような変形を一時的に生じさせる。フレキシブルディスプレイ１４における変形１０２は、内部インターフェイス装置２４の位置を装置１０のユーザに指示する。アクチュエータ段１１０は、方向１１４に電気的又は機械的に下降されて、フレキシブルディスプレイ１４における変形１０２を除去し、フレキシブルディスプレイ１４をその元の形状に復帰させる。コンポーネント１００は、タッチ感知層１４Ｂの単一インターフェイスコンポーネント２４の位置を指示する分離されたコンポーネントでもよいし、又は各インターフェイスコンポーネント２４のアレイの位置を指示するコンポーネント１００のアレイの１つでもよい。
【００６９】
図１４は、構造コンポーネント２２のようなコンポーネントの別の例示的実施形態の付近における装置１０の一部分の断面側面図である。図１４の構成において、構造コンポーネント２２は、アクチュエータ段１１０のようなアクチュエータにマウントされる。装置１０を動作する幾つかのモードは、装置１０のユーザとの視覚上の相互作用を必要とする（例えば、画像又はビデオの表示を伴うモード）。これらの視覚モードにおいて、フレキシブルディスプレイ１４のタッチ感知層１４Ｂの部分１０１の位置は、フレキシブルディスプレイ１４にディスプレイピクセルを使用して視覚的に指示される。
【００７０】
装置１０の他の動作モードにおいて、装置１０のユーザは、視覚的な助けなしに部分１０１の位置を決定することを望む。図１４に示す実施形態では、コンポーネント２２は、支持構造体５０に凹設される。アクチュエータ段１１０は、方向１１２に電気的又は機械的に上昇されて、構造コンポーネント２２をフレキシブルディスプレイ１４と接触させるように移動し、フレキシブルディスプレイ１４に変形１０２のような変形を一時的に生じさせる。変形１０２は、部分１０１の位置を装置１０のユーザに指示する。触覚相互作用がもはや必要でないとき（例えば、ビデオ表示モードへスイッチングするとき）、アクチュエータ１１０は、方向１１４に電気的又は機械的に移動されて、構造コンポーネント２２を下降させ、フレキシブルディスプレイ１４の変形１０２を除去する。
【００７１】
図１５は、ハウジング１２及びカバー部材１２２を備えた装置１０の実施形態の断面側面図である。カバー部材１２２は、プラスチック、ガラス、セラミック、ファイバー複合物、金属（例えば、ステンレススチール、アルミニウム、等）、他の適当な材料、又はそれらの材料の組み合わせで形成される。カバー部材１２２は、単一構造体でもよいし、又は複数のカバー構造体を含んでもよい。装置１０のユーザによるカバー１２２の持ち上げを容易にするために、構造コンポーネント２２は、その構造コンポーネント２２を方向１３４に持ち上げるのに使用されるアクチュエータ１３０に結合される。持ち上げ時に、構造コンポーネント２２は、フレキシブルディスプレイ１４に変形１０２のような変形を生じさせる。フレキシブルディスプレイ１４は、カバー部材１２２に圧力を作用させて、カバー部材１２２を方向１３４に持ち上げ、ユーザがカバー部材１２２を把持して、カバー部材１２２を開位置１４０のような開位置へ持ち上げできるようにする。次いで、アクチュエータ１３０を使用して、構造コンポーネント２２を方向１３２に下降させ、フレキシブルディスプレイ１４をその元の形状に復帰させることができる。アクチュエータ１３０は、アクチュエータスイッチ１２４を使用してユーザにより発生される制御信号に応答してアクチベートされるか、又は他の適当な制御回路からの制御信号によりアクチベートされる。
【００７２】
図１６は、内部インターフェイスコンポーネント２４の別の例示的実施形態の付近における装置１０の一部分の断面側面図である。図１６に示す実施形態では、インターフェイスコンポーネント２４は、圧力感知モジュール１４０を含む圧力センサである。圧力感知モジュール１４０は、接触部材１４２のような接触部材（フレキシブルディスプレイ１４と接触する）と電気接点１４４との間に結合される。フレキシブルディスプレイ１４には圧力が作用される（例えば、装置１０のユーザによるか、又は装置１０の周囲環境における大気圧変化により）。フレキシブルディスプレイ１４に作用される圧力は、接触部材１４２により圧力感知モジュール１４０へ伝送される。圧力情報は、電気接点１４４を通して装置１０へ伝達される。圧力感知モジュール１４０は、圧電、容量性、誘導性、抵抗性、光学的、又は他のメカニズムを使用して圧力変化を感知する。装置１０にフレキシブルディスプレイ１４を設けることで、フレキシブルディスプレイ１４がインターフェイスコンポーネント２４上に延び、フレキシブルディスプレイ１４のアクティブな領域２０Ａのエリアを増加することができる。インターフェイスコンポーネント２４上にフレキシブルディスプレイ１４が存在することで、水分や埃が装置１０の内部に入り込むおそれが減少される。
【００７３】
一実施形態によれば、フレキシブルディスプレイ及び内部コンポーネントを備え、フレキシブルディスプレイが装置外部のアクションにより変形され、そしてフレキシブルディスプレイの変形で内部コンポーネントから応答を生成する、電子装置が提供される。
【００７４】
別の実施形態によれば、フレキシブルディスプレイは、フレキシブルディスプレイ層、及びタッチ感知層を含む。
【００７５】
別の実施形態によれば、フレキシブルディスプレイのフレキシブルディスプレイ層は、アクティブなディスプレイ領域を含み、そして内部コンポーネントは、フレキシブルディスプレイのアクティブなディスプレイ領域の一部分で覆われる。
【００７６】
別の実施形態によれば、内部コンポーネントは、ボタンを含み、そしてフレキシブルディスプレイの変形でボタンが圧縮される。
【００７７】
別の実施形態によれば、フレキシブルディスプレイは、更に、少なくとも１つの開口を有する堅牢なカバー層を含む。
【００７８】
別の実施形態によれば、開口は、堅牢なカバー層の穴を含み、ボタンは、その開口にボタン部材を含み、ボタン部材は、堅牢なカバー層の穴内を移動し、そして開口におけるボタン部材の移動は、フレキシブルディスプレイの変形を引き起こす。
【００７９】
別の実施形態によれば、内部コンポーネントは、圧力センサを含み、そしてフレキシブルディスプレイの変形が圧力センサに機械的圧力を作用させる。
【００８０】
別の実施形態によれば、圧力センサは、圧電アクチュエータを含み、そして機械的圧力は、圧電アクチュエータに電圧を誘起する。
【００８１】
別の実施形態によれば、内部コンポーネントは、電子装置の外部で発生する音声を検出するためのレーザマイクロホンを含み、そして音声の検出は、フレキシブルディスプレイの変形をレーザで検出することを含む。
【００８２】
一実施形態によれば、フレキシブルディスプレイ、及び該フレキシブルディスプレイを通して音声を送信又は受信するオーディオコンポーネントを備えた電子装置が提供される。
【００８３】
別の実施形態によれば、フレキシブルディスプレイは、アクティブなディスプレイ領域を含み、そしてオーディオコンポーネントは、フレキシブルディスプレイのアクティブなディスプレイ領域の後方にマウントされる。
【００８４】
別の実施形態によれば、フレキシブルディスプレイは、フレキシブルディスプレイ層、及びタッチ感知層を含む。
【００８５】
別の実施形態によれば、オーディオコンポーネントは、ダイアフラムを含み、そしてそのダイアフラムは、フレキシブルディスプレイに接触するようにマウントされる。
【００８６】
別の実施形態によれば、ハウジングと、該ハウジングにマウントされたフレキシブルディスプレイと、該フレキシブルディスプレイの一部分の下にマウントされた第１の内部コンポーネントとを備え、該第１の内部コンポーネントがフレキシブルディスプレイの前記一部分を変形するように構成された電子装置が提供される。
【００８７】
別の実施形態によれば、第１の内部コンポーネントは、圧電アクチュエータを含み、該圧電アクチュエータに印加される電圧で圧電アクチュエータが膨張され、そして圧電アクチュエータの膨張に応答してフレキシブルディスプレイの一部分が変形する。
【００８８】
別の実施形態によれば、第１の内部コンポーネントは、構造コンポーネントを含み、フレキシブルディスプレイの一部分は、その構造コンポーネントとの物理的接触に応答して変形し、そしてフレキシブルディスプレイの一部分が変形すると、フレキシブルディスプレイのその一部分が構造コンポーネントの表面に合致させられる。
【００８９】
別の実施形態によれば、電子装置は、更に、フレキシブルディスプレイの一部分の下にマウントされた第２の内部コンポーネントを備え、構造コンポーネントの表面に合致するフレキシブルディスプレイ一部分は、第２の内部コンポーネントの位置を指示する。
【００９０】
別の実施形態によれば、第２の内部コンポーネントは、ボタンを含み、フレキシブルディスプレイの一部分は、電子装置の外部のアクションで更に変形されるように構成され、そしてフレキシブルディスプレイの一部分の更なる変形でボタンが圧縮される。
【００９１】
別の実施形態によれば、第１の内部コンポーネントは、更に、アクチュエータを含み、このアクチュエータに構造コンポーネントがマウントされ、アクチュエータを上昇させると、構造コンポーネントをフレキシブルディスプレイの一部分と接触させるよう移動し、そしてアクチュエータを下降させると、構造コンポーネントを、フレキシブルディスプレイとの接触を解除させるよう移動する。
【００９２】
別の実施形態によれば、フレキシブルディスプレイは、タッチ感知層を含み、構造コンポーネントの表面に合致するフレキシブルディスプレイの一部分の変形は、フレキシブルディスプレイのタッチ感知層の一部分の位置を指示する。
【００９３】
別の実施形態によれば、電子装置は、更に、アクチュエータにマウントされた第２の内部コンポーネントを備え、構造コンポーネントの表面に合致するフレキシブルディスプレイの一部分の変形は、第２の内部コンポーネントの位置を指示する。
【００９４】
別の実施形態によれば、電子装置は、更に、カバー部材と、アクチュエータに結合されたアクチュエータスイッチとを備え、フレキシブルディスプレイの変形は、カバー部材に圧力を作用させ、そしてカバー部材の圧力は、カバー部材を持ち上げる。
【００９５】
以上のことは、本発明の原理を単に例示するに過ぎず、本発明の範囲及び精神から逸脱せずに種々の変更が当業者により明らかであろう。
【００９６】
図１、２及び１７−２１の例に示すように、電子装置には、凹面ディスプレイが設けられる。凹面ディスプレイは、ディスプレイをカーブさせるように曲げられたフレキシブルディスプレイ層を含む。
【００９７】
凹面ディスプレイは、フレキシブルディスプレイ層（例えば、フレキシブルな有機発光ダイオードアレイ）、フレキシブルタッチ感知層（例えば、容量性タッチセンサの透明キャパシタ電極のアレイをもつポリマーシート）、フレキシブル基板層、等のフレキシブル層から形成される。これらのフレキシブル層は、必要に応じて、フレキシブルな又は堅牢なカバー層（時々カバーガラスとも称される）で覆われるか、又は支持構造体（例えば、フレキシブル層の下面の堅牢な支持構造体）により支持される。堅牢なカバー層でカバーされた凹面ディスプレイを伴う電子装置では、ディスプレイのフレキシブル層にアクセスするための開口がカバー層に設けられる。例えば、カバーガラス層は、そのカバーガラス層に対してボタン部材を移動できるようにする開口を有する。ボタン部材が開口内で移動するときに、その下のフレキシブルディスプレイの部分が変形される（例えば、関連スイッチの作動を許すために）。
【００９８】
又、電子装置には、ユーザインターフェイスコンポーネント（入力／出力コンポーネント）、例えば、ボタン、マイクロホン、スピーカ、圧電アクチュエータ（ユーザからの電気的入力又はユーザへの触覚フィードバックを受け取るための）、バイブレータのような他のアクチュエータ、圧力センサ、及び他のコンポーネントも設けられる。これらのコンポーネントは、フレキシブルディスプレイの部分の下にマウントされる。
【００９９】
ユーザインターフェイスコンポーネントは、フレキシブルディスプレイの下にマウントされるか、又はフレキシブルディスプレイに一体化される。フレキシブルディスプレイの変形特性は、ディスプレイをユーザインターフェイスコンポーネントと接触させるように移動するか、さもなければ、ディスプレイを局所的に撓ませられるようにすることにより（例えば、フレキシブルディスプレイに音声を通せるようにするか、又は外部環境の気圧測定を内部圧力センサで行えるようにするために）、ユーザがユーザインターフェイスコンポーネント（入力／出力コンポーネント）と相互作用できるようにする。必要に応じて、フレキシブルディスプレイの一部分が電気的コンポーネントの膜部分を形成する。フレキシブルディスプレイの一部分から形成された膜が設けられたコンポーネントは、マイクロホン、レーザマイクロホン、圧力センサ、スピーカ、等を含む。
【０１００】
全てが凹状のフレキシブルな及び堅牢な層から形成される凹面ディスプレイ（即ち、ディスプレイの層が平坦でない層の集合から形成されるディスプレイ）は、電子装置が地面又は他の外部物体に当たる落下事故の間にダメージを受け難くする一方、電気的及び機械的装置コンポーネントを保持するのに利用できる装置の内部容積を最大にすることができる。
【０１０１】
凹面ディスプレイが設けられた形式の電子装置が図１に例示されている。この電子装置１０は、ポータブル電子装置又は他の適当な電子装置である。例えば、電子装置１０は、ラップトップコンピュータ、タブレットコンピュータ、腕時計装置、ペンダント装置、或いは他の着用可能又は小型装置のような若干小さな装置、セルラー電話、メディアプレーヤ、等である。
【０１０２】
装置１０は、ハウジング１２のようなハウジングを備えている。時々ケースとも称されるハウジング１２は、プラスチック、ガラス、セラミック、ファイバー複合物、金属（例えば、ステンレススチール、アルミニウム、等）、他の適当な材料、或いはそれら材料の組み合わせで形成される。ある状況において、ハウジング１２の部分は、誘電体又は他の低導電率材料で形成される。他の状況において、ハウジング１２、又はハウジング１２を形成する構造体の少なくとも幾つかは、金属要素から形成される。
【０１０３】
装置１０は、凹面ディスプレイ１４のような凹面ディスプレイを有する。凹面ディスプレイ１４は、複数の材料層で形成される。それらの層は、容量性タッチセンサアレイを形成するためにインジウム・スズ酸化物（ＩＴＯ）電極又は他の適当な透明電極のパターンが堆積される層のようなタッチセンサ層、或いは他のタッチ技術（例えば、抵抗性タッチ、音響タッチ、光学的タッチ、等）を使用して形成されるタッチセンサ層を含む。又、それらの層は、ディスプレイピクセルのアレイを収容する層も含む。タッチセンサ層及びディスプレイ層は、（一例として）厚みが１０ミクロンないし０．５ｍｍ又は他の適当な厚みのフレキシブルなポリマーシート又は他の基板を使用して形成される。
【０１０４】
ディスプレイピクセルアレイは、例えば、有機発光ダイオード（ＯＬＥＤ）アレイであり、ＯＬＥＤディスプレイピクセルの行及び列を含む。他の形式のフレキシブルディスプレイピクセルアレイが形成されてもよい（例えば、電子インクディスプレイ、等）。ここでは、一例として、ＯＬＥＤ技術を使用してフレキシブルディスプレイ１４を形成することを説明する。しかしながら、これは、単なる例示に過ぎない。フレキシブルディスプレイ１４は、適当なフレキシブルディスプレイ技術を使用して形成される。ＯＬＥＤ技術に基づくフレキシブルディスプレイの使用は、単なる例示に過ぎない。
【０１０５】
これらの機能的ディスプレイ層（即ち、ＯＬＥＤアレイ及び任意のタッチセンサアレイ）に加えて、ディスプレイ１４は、１つ以上の構造層を含む。例えば、ディスプレイ１４は、フレキシブルな又は堅牢なカバー層で覆われ、及び／又は支持構造体（例えば、堅牢な支持体）にマウントされる。接着剤の層は、フレキシブルディスプレイ層を互いに取り付けるのに使用されると共に、フレキシブルディスプレイ層を堅牢な及びフレキシブルな構造層にマウントするのに使用される。
【０１０６】
ディスプレイ１４のカバー層がフレキシブルであるようなディスプレイ１４の構成では、フレキシブルな層の存在に依存する入力／出力コンポーネントが、ディスプレイの下の適当な位置にマウントされる（例えば、ディスプレイの周辺部分に沿って、ディスプレイの中央部分に、等々）。フレキシブルな層が堅牢なカバーガラス層又は他の堅牢なカバー層により覆われるようなディスプレイ１４の構成では、堅牢な層に１つ以上の開口が設けられると共に、電子コンポーネントが開口の下にマウントされる。例えば、堅牢なカバー層は、ボタン１７のための円形開口１６のような開口、及び（例えば、ユーザのイヤホンのための）スピーカポート開口１８のようなスピーカポート開口を有する。又、装置１０は、他の開口を有してもよい（例えば、ボリュームボタン、リンガーボタン、スリープボタン及び他のボタンを収容するためのディスプレイ１４及び／又はハウジング１２の開口や、オーディオジャック、データポートコネクタ、除去可能なメディアスロット、等のための開口）。
【０１０７】
ある実施形態では、周辺領域２０Ｉのような凹面ディスプレイ１４の部分は、インアクティブであり、そして長方形の中央部分２０Ａのようなディスプレイ１４の部分（破線２０で境界定めされた）は、ディスプレイ１４のアクティブな部分に対応する。アクティブなディスプレイ領域２０Ａでは、画像ピクセルのアレイを使用して、装置１０のユーザにテキスト及び画像を提示する。アクティブな領域２０Ａでは、ディスプレイ１４は、装置１０のユーザとの相互作用及び入力のためのタッチ感知コンポーネントを含む。必要に応じて、図１の領域２０Ｉ及び２０Ａのような両領域に、ディスプレイピクセルが設けられる（即ち、装置１０のような装置の全体的に平坦な前面の全部又は実質的に全部がディスプレイピクセルで覆われる）。
【０１０８】
装置１０は、必要に応じて、凹面ディスプレイ１４の任意の堅牢なカバー層に各々ある開口１６及び１８のような開口を占有するボタン１７又はスピーカコンポーネント１９のような内部ユーザインターフェイスコンポーネントを有する。ボタン１７は、ドームスイッチ又は他のスイッチ回路に基づく。又、ボタン１７は、プッシュボタン（例えば、瞬時ボタン）、スライダースイッチ、ロッカースイッチ、等を形成するボタン部材を含む。装置１０は、凹面ディスプレイ１４の一部分に立ち上った構造部を追加する構造コンポーネント２２のような内部構造コンポーネントを含む。装置１０は、インターフェイスコンポーネント２４及び２６のようなコンポーネントを含み、これは、完全に装置１０の内部にあるが、ユーザから又は周囲環境から凹面ディスプレイ１４との物理的相互作用を通して入力を受け取る。インターフェイスコンポーネント２２、２４及び２６は、凹面ディスプレイ１４のアクティブな領域２０Ａ又はインアクティブな領域２０Ｉに配置される。インターフェイスコンポーネント２２、２４及び２６は、互いに別々に配置されてもよいし、又は構造的特徴及び内部特徴をもつ合成コンポーネントを形成するように共通に配置されてもよい。インターフェイスコンポーネント２４及び２６は、凹面ディスプレイ１４の下に位置されて、コンポーネント２４又は２６と接触するには凹面ディスプレイ１４を変形しなければならないようにしてもよいし、又は必要に応じて、凹面ディスプレイ１４と常時接触状態のままにするように配置されてもよい。
【０１０９】
例示的ディスプレイの分解斜視図が図２に示されている。図２に示すように、凹面ディスプレイ１４は、フレキシブルディスプレイ層１４Ａ、タッチ感知層１４Ｂ及びカバー層１４Ｃを含む複数の層をスタックすることにより形成される。又、ディスプレイ１４は、接着剤層、光学的フィルム又は他の適当な層のような他の材料層も含む。フレキシブルディスプレイ層１４は、発光ダイオード（ＬＥＤ）、有機ＬＥＤ（ＯＬＥＤ）、プラズマセル、電子インク要素、液晶ディスプレイ（ＬＣＤ）コンポーネント、又はフレキシブルディスプレイに適合する他の適当な画像ピクセル構造体から形成された画像ピクセルを含む。
【０１１０】
タッチ感知層１４Ｂは、水平透明電極３２及び垂直透明電極３４のような容量性タッチ電極を合体している。タッチ感知層１４Ｂは、一般的に、該タッチ感知層１４Ｂにおける１つ以上のタッチ又は近タッチの位置を、容量性センサ、抵抗性センサ、光学的センサ、音響的センサ、誘導性センサ又は力センサに基づいて検出するように構成される。
【０１１１】
検出されたタッチの測定値を処理して、１つ以上のジェスチャーを識別し追跡するためにソフトウェア及び／又はハードウェアが使用される。ジェスチャーとは、タッチ感知層１４Ｂ上の静止又は非静止の、単一又は複数の、タッチ又は近タッチに対応する。ジェスチャーは、１つ以上の指又は他の物体をタッチ感知層１４Ｂ上で特定の仕方で移動することにより遂行され、例えば、タッピング、プレッシング、ロッキング、スクラビング、ツイスティング、方向転換、変化する圧力でのプレッシング、等を本質的に同時に、切れ目なく、又は連続的に行うことで遂行される。ジェスチャーは、１つ以上の他の指との又はそれらの間でのピンチング、スライディング、スワイピング、回転、撓み、ドラグ、又はタッピング運動により特徴付けられるが、それらに限定されない。単一のジェスチャーが、片手又は両手、１人以上のユーザ、又はその組み合わせで遂行されてもよい。
【０１１２】
カバー層１４Ｃは、プラスチック又はガラス（時々ディスプレイカバーガラスとも称される）から形成され、フレキシブルなものでも堅牢なものでもよい。必要に応じて、カバー層１４Ｃの周辺インアクティブ部分２０Ｉの内面には、ブラックインクのような不透明なマスキング層が設けられる。
【０１１３】
タッチ感知フレキシブルディスプレイ区分１４ＡＢは、ディスプレイピクセルアレイ層１４Ａ及び任意のタッチセンサ層１４Ｂから形成される。
【０１１４】
図１７は、凹面ディスプレイ１４を備え、その凹面ディスプレイ１４の周囲を取り巻くベゼル２００のようなベゼルが設けられた装置１０の実施形態を例示する斜視図である。図１７に示す実施形態では、装置１０のハウジング１２は、データポートへのアクセスを与える開口２０４を有している。ベゼル２００の表面は、ディスプレイ１４の表面と同一平面に形成される（即ち、ベゼル２００及びディスプレイ１４が単一の滑らかな表面を形成する）か、又はハウジング１２の壁に直角に形成される（一例として）。ベゼル２００は、個別のベゼル部材でもよいし、又はハウジング１２の一部分として形成されてもよい。図１７に示すように、ベゼル２００の上部及び下部２０２は、凹面ディスプレイ１４の断面カーブ形状に一致する凹面（カーブ）形状を有する。
【０１１５】
図１８は、接着剤層２１２のような接着材料の層を使用してフレキシブルディスプレイ層１４Ａを支持構造体２１０のような凹面支持構造体（例えば、金属、ガラス又はプラスチック支持構造体のような、少なくとも凹状外面を有する堅牢な支持構造体）にマウントすることにより凹面ディスプレイ１４が形成された装置１０の実施形態を例示する断面側面図である。図１８に示すように、ハウジング１２、ベゼル２０２及び凹面ディスプレイ１４で画成された装置１０の内部容積は、ディスプレイ１４の曲率の最深点で画成される平面（破線２１４で示す）より上の容積２１６を含む。これは、支持構造体２１０の内面が凸状（図１８の例では）だからである。容積２１６は、コンポーネント２２０のような内部コンポーネント（例えば、プリント回路板、アンテナ、又は他のコンポーネント）が位置される長方形容積２１８に加えてスペースを与える。それ故、図１８の凹状へフレキシブルディスプレイ１４を曲げられることは、装置コンポーネントをマウントするために装置１０内に利用できる内部スペースを最大にする上で助けとなる。
【０１１６】
図１９は、装置１０の一部分の断面側面図である。図１９に示す実施形態では、凹面ディスプレイ１４は、フレキシブルディスプレイ層１４Ａ、接着剤層２１２及び堅牢なカバー層１４Ｃ（例えば、堅牢なプラスチックの層、又はフレキシブルディスプレイ層１４Ａが合致する凸状内面及び凹状外面を有する堅牢なカバーガラスの層）から形成される。凹面ディスプレイ１４は、ハウジング１２のベゼル部分２００に隣接して形成されてもよいし、又は付加的なマウント部材によりハウジング１２に接合されてもよい。ディスプレイ１４のカバー層１４Ｃの凹状は、装置１０が落下した場合にダメージを受け難くする。フレキシブルディスプレイ層１４Ａを、カバー層１４Ｃの凹状に一致する形状で形成することで（即ち、層１４Ａが層１４Ｃの凸状内面に合致するように）、装置１０に付加的な内部容積２１６を与えることができる。
【０１１７】
図２０は、装置１０の別の実施形態の一部分の断面側面図である。図２０に示す実施形態では、凹面ディスプレイ１４は、接着剤層２１２により任意のタッチ感知層１４Ｂに取り付けられたフレキシブルディスプレイ層１４から形成される。タッチ感知層１４Ｂは、更に、接着剤層２３０を使用して堅牢なカバー層１４Ｃ（例えば、ガラス又はプラスチック層）に取り付けられ、ディスプレイ１４の全ての層（２１２、１４Ｂ、２３０及び１４Ｃ）がカバー層１４Ｃの凹状に合致するようにする。凹面ディスプレイ１４は、ハウジング１２のベゼル部分２００に直接隣接してもよいし、又は付加的なマウント部材によってハウジング２１２に接合されてもよい。ディスプレイ１４の全ての層（１４Ａ、２１２、１４Ｂ、２３０及び１４Ｃ）の凹状は、装置１０が落下した場合にダメージを受け難くすると共に、付加的な内部容積２１６を与える。
【０１１８】
図２１は、装置１０と、装置１０が落下するところの落下面２４０のような共通落下面（例えば、歩道のコンクリート、アスファルト、タイル、又は他の表面）とを示す断面側面図である。落下面２４０は、表面特徴部２４２のような表面特徴部による粗面度を有する。表面特徴部２４２は、高さ２４４のような特性高さ（例えば、コンクリート面の場合に１−２ｍｍ）を有する。図２１に示すように、装置１０には、凹面ディスプレイ１４が設けられる。又、凹面ディスプレイ１４には、破線２４６で示された装置１０の最外面からの距離で定められる最大深さ２４８により定められる曲率と、（破線２１４で示される）ディスプレイ１４の曲率における最深点とが与えられる。装置１０の最外面は、ベゼル２００により定められるか、又はベゼル２００がない場合には、ディスプレイ１４の周縁がハウジング１２に合流する接合点２５０により定められる。
【０１１９】
最大深さ２４８は、共通落下面２４０の表面特徴部２４２の特性サイズ２４４より大きくなるように選択される。特性高さ２４４より大きな最大深さ（深さ２４８）を与えるように選択された曲率を有する凹面ディスプレイを装置１０に設けることで、落下事故中に装置１０にダメージ（例えば、スクラッチ又は他のダメージ）が及ぶおそれが著しく減少される。
【０１２０】
カバー層１４Ｃの形状に合致できるフレキシブルディスプレイ層１４Ａを凹面ディスプレイ１４に設けることで、ディスプレイ１４の全ての層を同じ凹状に合致させることができる。凹面ディスプレイ１４の全ての層が同じ凹状に合致するような凹面ディスプレイ１４を装置１０に設けることで、共通落下面２４０への落下時に装置１０がダメージを受け難くしながら、内部コンポーネントが位置される付加的な内部容積２１６を与えることができる。
【０１２１】
電子装置には、装置の内部容積を最大にしながら落下時にダメージのおそれを低下させる凹面ディスプレイが設けられる。その凹面ディスプレイは、フレキシブルディスプレイ層を含む１つ以上のフレキシブル層から形成される。フレキシブルディスプレイ層は、堅牢な支持構造体又は堅牢なカバー層にマウントされる。堅牢なカバー構造体のカーブ形状に合致するフレキシブルディスプレイ層は、装置の内部コンポーネントが配置される付加的な内部容積を与える。
【０１２２】
一実施形態によれば、ハウジングと、ハウジングにマウントされた凹面ディスプレイとを備え、その凹面ディスプレイは、凹面を有する堅牢な内部支持構造体と、該堅牢な内部支持構造体に取り付けられてその堅牢な支持構造体の凹面に合致するフレキシブルディスプレイ層とを有する、電子装置が提供される。
【０１２３】
別の実施形態によれば、凹面ディスプレイは、更に、第１の接着剤層を含み、そして該第１の接着剤層は、フレキシブルディスプレイ層を堅牢な内部支持構造体の凹面に取り付ける。
【０１２４】
別の実施形態によれば、凹面ディスプレイは、更に、タッチ感知層を含む。
【０１２５】
別の実施形態によれば、凹面ディスプレイは、更に、第１及び第２の接着剤層を含み、第１の接着剤層は、フレキシブルディスプレイ層をタッチ感知層に取り付け、そして第２の接着剤層は、フレキシブルディスプレイ層を堅牢な内部支持構造体に取り付ける。
【０１２６】
別の実施形態によれば、ハウジングは、ベゼルを含み、そしてベゼルは、凹面ディスプレイの周囲を取り巻く。
【０１２７】
別の実施形態によれば、堅牢な内部支持構造体は、凸状内面を有し、そして電子装置は、更に、その凸状内面に隣接してマウントされた少なくとも１つの内部コンポーネントを備えている。
【０１２８】
別の実施形態によれば、堅牢な内部支持構造体は、少なくとも１つの開口を有する。
【０１２９】
別の実施形態によれば、少なくとも１つの開口は、堅牢な内部支持構造体の穴を含み、そして少なくとも１つの内部コンポーネントは、堅牢な内部支持構造体の穴にマウントされる。
【０１３０】
別の実施形態によれば、ハウジングと、ハウジングにマウントされた凹面ディスプレイとを備え、その凹面ディスプレイは、少なくとも１つの凹状外面及び少なくとも１つの対応する凸状内面を有する堅牢なカバー層を備えると共に、フレキシブルディスプレイ層を備え、そのフレキシブルディスプレイ層は、堅牢なカバー層の凸状内面に合致するような電子装置が提供される。
【０１３１】
別の実施形態によれば、フレキシブルディスプレイ層は、有機発光ダイオードで形成された画像ピクセルを含む。
【０１３２】
別の実施形態によれば、凹面ディスプレイは、更に、第１の接着剤層を含み、その第１の接着剤層は、フレキシブルディスプレイ層を堅牢なカバー層の凸状内面に取り付ける。
【０１３３】
別の実施形態によれば、堅牢なカバー層は、少なくとも１つの開口を有し、電子装置は、更に、内部コンポーネントを備え、その内部コンポーネントは、堅牢なカバー層の少なくとも１つの開口の下でフレキシブルディスプレイ層に隣接してマウントされる。
【０１３４】
別の実施形態によれば、内部コンポーネントは、スピーカを含み、そしてそのスピーカは、フレキシブルディスプレイ層を通して音声を伝送する。
【０１３５】
別の実施形態によれば、内部コンポーネントは、ボタンを含み、電子装置は、更に、堅牢なカバー層の少なくとも１つの開口にボタン部材を備え、そのボタン部材は、堅牢なカバー層の少なくとも１つの開口内で移動し、そしてボタン部材の移動でボタンが圧縮される。
【０１３６】
別の実施形態によれば、電子装置ハウジングと、その電子装置ハウジングにマウントされた凹面ディスプレイとを備え、その凹面ディスプレイは、凹状外面及び凸状内面を有する堅牢なカバー層、フレキシブルディスプレイ層、及びタッチ感知層を含み、そのフレキシブルディスプレイ層及びタッチ感知層は、各々、堅牢なカバー層の凸状内面に合致する、電子装置が提供される。
【０１３７】
別の実施形態によれば、凹面ディスプレイは、更に、第１及び第２の接着剤層を含み、フレキシブルディスプレイ層は、第１の接着剤層でタッチ感知層に取り付けられ、そしてタッチ感知層は、第２の接着剤層で堅牢なカバー層の凸状内面に取り付けられる。
【０１３８】
別の実施形態によれば、電子装置は、更に、凹面ディスプレイのフレキシブルディスプレイ層に隣接してマウントされた少なくとも１つの内部コンポーネントを備えている。
【０１３９】
別の実施形態によれば、凸面ディスプレイの堅牢なカバー層は、少なくとも１つの開口を有し、少なくとも１つの内部コンポーネントは、オーディオコンポーネントであり、そしてそのオーディオコンポーネントは、堅牢なカバー層の少なくとも１つの開口の下にマウントされる。
【０１４０】
別の実施形態によれば、凹面ディスプレイの凹状外面は、曲率及び周縁を有し、曲率は最深点を有し、該最深点及び少なくとも幾つかの周縁は、凹面ディスプレイの曲率に関連した最大深さを定め、そして凹面ディスプレイの最大深さは、０．５ｍｍから２０ｍｍである。
【０１４１】
別の実施形態によれば、電子装置は、更に、内部コンポーネントを備え、その内部コンポーネントは、凹状外面の周縁からある距離にマウントされ、そしてその距離は、最大深さより短い。
【０１４２】
以上のことは、本発明の原理を単に例示するに過ぎず、本発明の範囲及び精神から逸脱せずに種々の変更が当業者により明らかであろう。
【０１４３】
図１、２及び２２−２９の例に示すように、電子装置には、凸面ディスプレイが設けられる。凸面ディスプレイは、カーブ面を形成するように曲げられたフレキシブルディスプレイ層を含む。
【０１４４】
凸面ディスプレイは、フレキシブルディスプレイ層（例えば、フレキシブルな有機発光ダイオードアレイ）、フレキシブルタッチ感知層（例えば、容量性タッチセンサの透明キャパシタ電極のアレイをもつポリマーシート）、フレキシブル基板層、等のフレキシブル層から形成される。これらのフレキシブル層は、必要に応じて、フレキシブルな又は堅牢なカバー層（時々カバーガラスとも称される）で覆われるか、又は支持構造体（例えば、フレキシブル層の下面の堅牢な支持構造体）により支持される。堅牢なカバー層で部分的に覆われた凸面ディスプレイを伴う電子装置では、ディスプレイのフレキシブル層にアクセスするための開口がカバー層に設けられる。例えば、カバーガラス層は、そのカバーガラス層に対してボタン部材を移動できるようにする開口を有する。ボタン部材が開口内で移動するときに、その下のフレキシブルディスプレイの部分が変形される（例えば、関連スイッチの作動を許すために）。
【０１４５】
又、電子装置には、ユーザインターフェイスコンポーネント（入力／出力コンポーネント）、例えば、ボタン、マイクロホン、スピーカ、圧電アクチュエータ（ユーザからの電気的入力又はユーザへの触覚フィードバックを受け取るための）、バイブレータのような他のアクチュエータ、圧力センサ、及び他のコンポーネントも設けられる。これらのコンポーネントは、フレキシブルディスプレイの部分の下にマウントされる。
【０１４６】
ユーザインターフェイスコンポーネントは、フレキシブルディスプレイの下にマウントされるか、又はフレキシブルディスプレイに一体化される。フレキシブルディスプレイの変形特性は、ディスプレイをユーザインターフェイスコンポーネントと接触させるように移動するか、さもなければ、ディスプレイを局所的に撓ませられるようにすることにより（例えば、フレキシブルディスプレイに音声を通せるようにするか、又は外部環境の気圧測定を内部圧力センサで行えるようにするために）、ユーザがユーザインターフェイスコンポーネント（入力／出力コンポーネント）と相互作用できるようにする。必要に応じて、フレキシブルディスプレイの一部分が電気的コンポーネントの膜部分を形成する。フレキシブルディスプレイの一部分から形成された膜が設けられたコンポーネントは、マイクロホン、レーザマイクロホン、圧力センサ、スピーカ、等を含む。
【０１４７】
全てが凸状のフレキシブルな及び堅牢な層から形成される凸面ディスプレイ（即ち、ディスプレイの層が平坦でない層の集合から形成されるディスプレイ）は、審美的に望ましい外観を与える一方、電気的及び機械的装置コンポーネントを保持するのに利用できる装置の内部容積を最大にすることができる。
【０１４８】
凸面ディスプレイが設けられた形式の電子装置が図１に例示されている。この電子装置１０は、ポータブル電子装置又は他の適当な電子装置である。例えば、電子装置１０は、ラップトップコンピュータ、タブレットコンピュータ、腕時計装置、ペンダント装置、或いは他の着用可能又は小型装置のような若干小さな装置、セルラー電話、メディアプレーヤ、等である。
【０１４９】
装置１０は、ハウジング１２のようなハウジングを備えている。時々ケースとも称されるハウジング１２は、プラスチック、ガラス、セラミック、ファイバー複合物、金属（例えば、ステンレススチール、アルミニウム、等）、他の適当な材料、或いはそれら材料の組み合わせで形成される。ある状況において、ハウジング１２の部分は、誘電体又は他の低導電率材料で形成される。他の状況において、ハウジング１２、又はハウジング１２を形成する構造体の少なくとも幾つかは、金属要素から形成される。
【０１５０】
装置１０は、凸面ディスプレイ１４のような凸面ディスプレイを有する。凸面ディスプレイ１４は、複数の材料層で形成される。それらの層は、容量性タッチセンサアレイを形成するためにインジウム・スズ酸化物（ＩＴＯ）電極又は他の適当な透明電極のパターンが堆積される層のようなタッチセンサ層、或いは他のタッチ技術（例えば、抵抗性タッチ、音響的タッチ、光学的タッチ、等）を使用して形成されるタッチセンサ層を含む。又、それらの層は、ディスプレイピクセルのアレイを収容する層も含む。タッチセンサ層及びディスプレイ層は、（一例として）厚みが１０ミクロンないし０．５ｍｍ又は他の適当な厚みのフレキシブルなポリマーシート又は他の基板を使用して形成される。
【０１５１】
ディスプレイピクセルアレイは、例えば、有機発光ダイオード（ＯＬＥＤ）アレイであり、ＯＬＥＤディスプレイピクセルの行及び列を含む。他の形式のフレキシブルディスプレイピクセルアレイが形成されてもよい（例えば、電子インクディスプレイ、等）。ここでは、一例として、ＯＬＥＤ技術を使用してフレキシブルディスプレイ１４を形成することを説明する。しかしながら、これは、単なる例示に過ぎない。フレキシブルディスプレイ１４は、適当なフレキシブルディスプレイ技術を使用して形成される。ＯＬＥＤ技術に基づくフレキシブルディスプレイの使用は、単なる例示に過ぎない。
【０１５２】
これらの機能的ディスプレイ層（即ち、ＯＬＥＤアレイ及び任意のタッチセンサアレイ）に加えて、ディスプレイ１４は、１つ以上の構造層を含む。例えば、ディスプレイ１４は、フレキシブルな又は堅牢なカバー層で覆われ、及び／又は支持構造体（例えば、堅牢な支持体）にマウントされる。接着剤の層は、フレキシブルディスプレイ層を互いに取り付けるのに使用されると共に、フレキシブルディスプレイ層を堅牢な及びフレキシブルな構造層にマウントするのに使用される。
【０１５３】
ディスプレイ１４のカバー層がフレキシブルであるようなディスプレイ１４の構成では、フレキシブルな層の存在に依存する入力／出力コンポーネントが、ディスプレイの下の適当な位置にマウントされる（例えば、ディスプレイの周辺部分に沿って、ディスプレイの中央部分に、等々）。フレキシブルな層が堅牢なカバーガラス層又は他の堅牢なカバー層により覆われるようなディスプレイ１４の構成では、堅牢な層に１つ以上の開口が設けられると共に、電子コンポーネントが開口の下にマウントされる。例えば、堅牢なカバー層は、ボタン１７のための円形開口１６のような開口、及び（例えば、ユーザのイヤホンのための）スピーカポート開口１８のようなスピーカポート開口を有する。又、装置１０は、他の開口を有してもよい（例えば、ボリュームボタン、リンガーボタン、スリープボタン及び他のボタンを収容するためのディスプレイ１４及び／又はハウジング１２の開口や、オーディオジャック、データポートコネクタ、除去可能なメディアスロット、等のための開口）。
【０１５４】
ある実施形態では、周辺領域２０Ｉのような凸面ディスプレイ１４の部分は、インアクティブであり、そして長方形の中央部分２０Ａのようなディスプレイ１４の部分（破線２０で境界定めされた）は、ディスプレイ１４のアクティブな部分に対応する。アクティブなディスプレイ領域２０Ａでは、画像ピクセルのアレイを使用して、装置１０のユーザにテキスト及び画像を提示する。アクティブな領域２０Ａでは、ディスプレイ１４は、装置１０のユーザとの相互作用及び入力のためのタッチ感知コンポーネントを含む。必要に応じて、図１の領域２０Ｉ及び２０Ａのような両領域に、ディスプレイピクセルが設けられる（即ち、装置１０のような装置の全体的に平坦な前面の全部又は実質的に全部がディスプレイピクセルで覆われる）。
【０１５５】
装置１０は、必要に応じて、凸面ディスプレイ１４の任意の堅牢なカバー層に各々ある開口１６及び１８のような開口を占有するボタン１７又はスピーカコンポーネント１９のような内部ユーザインターフェイスコンポーネントを有する。ボタン１７は、ドームスイッチ又は他のスイッチ回路に基づく。又、ボタン１７は、プッシュボタン（例えば、瞬時ボタン）、スライダースイッチ、ロッカースイッチ、等を形成するボタン部材を含む。装置１０は、凸面ディスプレイ１４の一部分に立ち上った構造部を追加する構造コンポーネント２２のような内部構造コンポーネントを含む。装置１０は、インターフェイスコンポーネント２４及び２６のようなコンポーネントを含み、これは、完全に装置１０の内部にあるが、ユーザから又は周囲環境から凸面ディスプレイ１４との物理的相互作用を通して入力を受け取る。インターフェイスコンポーネント２２、２４及び２６は、凸面ディスプレイ１４のアクティブな領域２０Ａ又はインアクティブな領域２０Ｉに配置される。インターフェイスコンポーネント２２、２４及び２６は、互いに別々に配置されてもよいし、又は構造的特徴及び内部特徴をもつ合成コンポーネントを形成するように共通に配置されてもよい。インターフェイスコンポーネント２４及び２６は、凸面ディスプレイ１４の下に位置されて、コンポーネント２４又は２６と接触するには凸面ディスプレイ１４を変形しなければならないようにしてもよいし、又は必要に応じて、凸面ディスプレイ１４と常時接触状態のままにするように配置されてもよい。
【０１５６】
例示的ディスプレイの分解斜視図が図２に示されている。図２に示すように、凸面ディスプレイ１４は、フレキシブルディスプレイ層１４Ａ、タッチ感知層１４Ｂ及びカバー層１４Ｃを含む複数の層をスタックすることにより形成される。又、ディスプレイ１４は、接着剤層、光学的フィルム又は他の適当な層のような他の材料層も含む。フレキシブルディスプレイ層１４は、発光ダイオード（ＬＥＤ）、有機ＬＥＤ（ＯＬＥＤ）、プラズマセル、電子インク要素、液晶ディスプレイ（ＬＣＤ）コンポーネント、又はフレキシブルディスプレイに適合する他の適当な画像ピクセル構造体から形成された画像ピクセルを含む。
【０１５７】
タッチ感知層１４Ｂは、水平透明電極３２及び垂直透明電極３４のような容量性タッチ電極を合体している。タッチ感知層１４Ｂは、一般的に、該タッチ感知層１４Ｂにおける１つ以上のタッチ又は近タッチの位置を、容量性センサ、抵抗性センサ、光学的センサ、音響的センサ、誘導性センサ又は力センサに基づいて検出するように構成される。
【０１５８】
検出されたタッチの測定値を処理して、１つ以上のジェスチャーを識別し追跡するためにソフトウェア及び／又はハードウェアが使用される。ジェスチャーとは、タッチ感知層１４Ｂ上の静止又は非静止の、単一又は複数の、タッチ又は近タッチに対応する。ジェスチャーは、１つ以上の指又は他の物体をタッチ感知層１４Ｂ上で特定の仕方で移動することにより遂行され、例えば、タッピング、プレッシング、ロッキング、スクラビング、ツイスティング、方向転換、変化する圧力でのプレッシング、等を本質的に同時に、切れ目なく、又は連続的に行うことで遂行される。ジェスチャーは、１つ以上の他の指との又はそれらの間でのピンチング、スライディング、スワイピング、回転、撓み、ドラグ、又はタッピング運動により特徴付けられるが、それらに限定されない。単一のジェスチャーが、片手又は両手、１人以上のユーザ、又はその組み合わせで遂行されてもよい。
【０１５９】
カバー層１４Ｃは、プラスチック又はガラス（時々ディスプレイカバーガラスとも称される）から形成され、フレキシブルなものでも堅牢なものでもよい。必要に応じて、カバー層１４Ｃの周辺インアクティブ部分２０Ｉの内面には、ブラックインクのような不透明なマスキング層が設けられる。
【０１６０】
タッチ感知フレキシブルディスプレイ区分１４ＡＢは、ディスプレイピクセルアレイ層１４Ａ及び任意のタッチセンサ層１４Ｂから形成される。
【０１６１】
図２２は、凸面ディスプレイ１４及び凸面ハウジング１２を備え、例えば、オーディオポートにアクセスする開口３００をハウジング１２が有するような装置１０の規範的実施形態の斜視図である。ハウジング１２の一部分は、ベゼル３０４のようなベゼルを形成する。ベゼル３０４は、ベゼル３０４及びディスプレイ１４が共通の滑らかな表面を形成するように形成されるか、或いはディスプレイ１４の外面より持ち上がって又はそれより凹んで形成される。ベゼル３０４は、個別のベゼル部材でもよいし、又はハウジング１２の一部分として形成されてもよい。図２２に示されたように、ベゼル２００の上部及び下部３０６は、凸面ディスプレイ１４のカーブした断面形状に一致する凸面（カーブした）形状である。
【０１６２】
図２３は、図２２の線３０２に沿って方法３０３に見た装置１０の例示的実施形態の断面側面図である。図２３に示すように、装置１０は、凸面ハウジング１２及び凸面ディスプレイ１４により形成された凸面形状を有する。又、装置１０は、バッテリ３１０及びコンポーネント３１２のような内部コンポーネントも備えている。装置１０のハウジング１２及びディスプレイ１４の凸面形状は、装置１０に薄い見掛けを与えながら、バッテリ３１０のような内部コンポーネントを収容できる内部スペースを与える。
【０１６３】
図２４は、接着剤層３２２のような接着材料の層を使用してフレキシブルディスプレイ層１４Ａを支持構造体３２０のような凸面支持構造体（例えば、金属、ガラス又はプラスチック支持構造体のような、少なくとも凸状外面を有する堅牢な支持構造体）にマウントすることにより凸面ディスプレイ１４が形成された装置１０の実施形態を例示する断面側面図である。図２４に示すように、ハウジング１２及び凸面ディスプレイ１４で画成された装置１０の内部容積は、（ディスプレイ１４の内縁３２８で画成される）平面３２４より上及びディスプレイ１４の内面３３０より下の容積３２６を含む。これは、支持構造体３２０の内面３３０が凹状（図２４の例では）だからである。容積３２６は、コンポーネント３３２のような内部コンポーネント（例えば、プリント回路板、アンテナ、又は他のコンポーネント）を配置するのに使用するスペースを与える。それ故、支持構造体３２０の凸状外面に一致する図２４の凸面形状へフレキシブルディスプレイ層１４Ａを曲げられることは、装置コンポーネントをマウントするために装置１０内に利用できる内部スペースを最大にする上で助けとなる。
【０１６４】
図２５は、装置１０の一部分の断面側面図である。図２５に示す実施形態では、凸面ディスプレイ１４は、フレキシブルディスプレイ層１４Ａ、接着剤層３２２及び堅牢なカバー層１４Ｃ（例えば、堅牢なプラスチックの層、又はフレキシブルディスプレイ層１４Ａが合致する凸状外面及び凹状内面を有する堅牢なカバーガラスの層）から形成される。凸面ディスプレイ１４は、ハウジング１２のベゼル部分に隣接して形成されてもよいし、又は付加的なマウント部材によりハウジング１２に接合されてもよい。カバー層１４Ｃの凸面形状に合致するフレキシブルディスプレイ層１４Ａのような層を装置１０に設けることで（即ち、層１４Ａが層１４Ｃの凹状内面に合致するように）、（ディスプレイ１４の内縁３２８により画成される）平面３２４とディスプレイ１４の内面３３０との間に付加的な内部容積３２６を与えることができる。
【０１６５】
図２６は、装置１０の別の実施形態の一部分の断面側面図である。図２６の例示的実施形態において、凸面ディスプレイ１４は、接着剤層３２２により任意のタッチ感知層１４Ｂに取り付けられたフレキシブルディスプレイ層１４から形成される。タッチ感知層１４Ｂは、更に、接着剤層３４０を使用して堅牢なカバー層１４Ｃ（例えば、ガラス又はプラスチック層）に取り付けられ、ディスプレイ１４の全ての層（３２２、１４Ｂ、３４０及び１４Ｃ）がカバー層１４Ｃの凸状に合致するようにする（即ち、層１４Ａ及び１４Ｂがカバー層１４Ｃの凹状内面に合致するようにする）。凸面ディスプレイ１４は、ハウジング１２に隣接して形成されてもよいし、又は付加的なマウント部材によってハウジング２１２に接合されてもよい。全ての層（１４Ａ、３２２、１４Ｂ、３４０及び１４Ｃ）の凸形状は、凸面ハウジングと結合されて装置１０に薄い見掛けを与え、そして（ディスプレイ１４の内縁３２８により画成される）平面３２４とディスプレイ１４の内面３３０との間に付加的な内部容積３２６を与えることができる。
【０１６６】
図２７は、接続構造体３５０のような接続構造体（例えば、オーディオポート又は他の雌型コネクタ）の付近において電子装置１０を例示する断面斜視図である。図２７に示したように、オーディオポート３５０は、相手コネクタ３５４のようなコネクタ（例えば、相手オーディオプラグ又は他の雄型コネクタ）に嵌合するための電気接点３５２を有する。図２７の実施形態では、オーディオポート３５０の一部分が（ディスプレイ１４の内縁３２８で画成された）平面３２４の上の内部容積３２６の一部分を占有する。装置１０のディスプレイ１４の凸形状は、薄い見掛けを与え、そして（ディスプレイ１４の内縁３２８により画成される）平面３２４と、コネクタ３５０のような相手コネクタの一部分がマウントされるディスプレイ１４の内面３３０との間に付加的な内部容積３２６を与えることができる。
【０１６７】
図２８は、プリント回路板（ＰＣＢ）、センサ、スイッチ、コネクタ、バッテリ構造体又は他の電子コンポーネントのようなコンポーネント３６０のスタックの付近における例示的電子装置１０の断面側面図である。図２８に示す実施形態では、（ディスプレイ１４の内縁３２８により画成される）平面３２４の上の内部容積３２６の一部分に幾つかのコンポーネント３６０が部分的に又は完全にマウントされる。装置１０のディスプレイ１４の凸形状は、薄い見掛けを与え、そして（ディスプレイ１４の内縁３２８により画成される）平面３２４と、ＰＣＢ及び他のコンポーネント３６０がマウントされるディスプレイ１４の内面３３０との間に付加的な内部容積３２６を与えることができる。コンポーネント３６０が容積３２６にマウントされる図２９の例は、単なる例示に過ぎない。必要に応じて、他のコンポーネント又は構造体が容積３２６を占有する。
【０１６８】
図２９は、装置１０のディスプレイ１４が装置１０を完全に取り巻く例示的電子装置の断面側面図である。図２９に示すように、装置１０は、凸状前面（上面）及び後面（下面）を有し、それらは、カーブした側壁に沿って接合される。ディスプレイ１４は、装置１０の前面、後面及び側壁面を覆い、電気的コンポーネント３６０（例えば、プリント回路板、集積回路、スイッチ、センサ、等）を完全に取り巻く。縁３７２は、接合部材３７０のような接合部材によって接合される。部材３７０は、プラスチック、ガラス、セラミック、ファイバー合成物、金属（例えば、ステンレススチール、アルミニウム、等）、他の適当な材料、又はそれらの材料の組み合わせで形成された個別の部材でもよいし、或いは接着材料で形成されてもよい。
【０１６９】
図２９の例において、ディスプレイ１４は、フレキシブルディスプレイ層１４Ａ、タッチ感知層１４Ｂ、及びカバー層１４Ｃを含む複数の層をスタックすることにより形成される。又、ディスプレイ１４は、接着剤層、光学的フィルム又は他の適当な層のような他の材料層も含む。一例として、ディスプレイ１４は、１つ以上の凸状外面と、装置１０を完全に取り巻く１つ以上の関連凹状内面とを有する堅牢な凸状支持構造体にフレキシブルディスプレイ層１４Ａをマウントすることにより形成される。別の構成では、ディスプレイ１４は、フレキシブルディスプレイ層１４Ａ、接着剤層３２２及び堅牢なカバー層１４Ｃ（例えば、１つ以上の凸状外面及び１つ以上の関連凹状内面を伴う堅牢なカバー層）から形成される。別の考えられる構成では、凸面ディスプレイ１４は、接着剤層３２２を使用してフレキシブルディスプレイ層１４Ａを任意のタッチ感知層１４Ｂに取り付けることにより形成される。タッチ感知層１４Ｂは、更に、接着剤層３４０を使用して堅牢なカバー層１４Ｃ（例えば、ガラス又はプラスチック層）に取り付けられ、ディスプレイ１４の全ての層（３２２、１４Ｂ、３４０及び１４Ｃ）がカバー層１４Ｃの凸形状に合致するようにする。これらの例は、単なる例示に過ぎず、ディスプレイ１４の他の構成も使用することができる。
【０１７０】
装置１０のディスプレイ１４の凸形状は、装置１０の薄い見掛けを与え、そしてバッテリ３１０、ＰＣＢ３６０のようなコンポーネント、又はコンポーネント３１２のような他のコンポーネントがマウントされる装置の内部容積を最大にする上で役立つ。装置１０を凸面ディスプレイ１４で完全に取り巻くことで、視覚表示に利用できる装置のエリアを拡大することができる。
【０１７１】
以上のことは、本発明の原理を単に例示するに過ぎず、本発明の範囲及び精神から逸脱せずに種々の変更が当業者により明らかであろう。
【０１７２】
電子装置には、凸面ディスプレイが設けられる。凸面ディスプレイは、装置の内部容積を最大にするのに使用される。凸面ディスプレイは、１つ以上のフレキシブル層から形成される。フレキシブルディスプレイ層は、堅牢な支持構造体又は堅牢なカバー層にマウントされる。堅牢な構造体のカーブ形状に合致するフレキシブルディスプレイ層は、装置の内部コンポーネントが位置される付加的な内部容積を与える。
【０１７３】
別の実施形態によれば、ハウジングと、ハウジングにマウントされたディスプレイとを備え、ディスプレイは、堅牢な支持構造体の凸状外面に合致するフレキシブルディスプレイ層を有する、電子装置が提供される。
【０１７４】
別の実施形態によれば、ディスプレイは、更に、接着剤層を含み、そしてその接着剤層は、フレキシブルディスプレイ層を、堅牢な支持構造体の凸状外面に取り付ける。
【０１７５】
別の実施形態によれば、ディスプレイは、更に、タッチ感知層を含む。
【０１７６】
別の実施形態によれば、ディスプレイは、更に、第１及び第２の接着剤層を含み、第１の接着剤層は、フレキシブルディスプレイ層をタッチ感知層に取り付け、そして第２の接着剤層は、フレキシブルディスプレイ層を堅牢な支持構造体の凸状外面に取り付ける。
【０１７７】
別の実施形態によれば、フレキシブルディスプレイ層は、有機発光ダイオードで形成された画像ピクセルを含む。
【０１７８】
別の実施形態によれば、ハウジングは、少なくとも１つの開口を有し、その開口は、コネクタポートに関連し、そして電子装置は、更に、コネクタポートにマウントされたコネクタ構造体を備えている。
【０１７９】
別の実施形態によれば、ハウジングと、ハウジングにマウントされたディスプレイとを備え、ディスプレイは、少なくとも１つの凸状外面及び少なくとも１つの関連凹状内面を有する堅牢なカバー層を含むと共に、凹状内面に合致するフレキシブルディスプレイ層を含む、電子装置が提供される。
【０１８０】
別の実施形態によれば、ディスプレイは、更に、接着剤層を含み、そしてその接着剤層は、フレキシブルディスプレイ層を堅牢なカバー層の凹状内面に接合する。
【０１８１】
別の実施形態によれば、堅牢なカバー層は、ガラスを含む。
【０１８２】
別の実施形態によれば、フレキシブルディスプレイ層は、有機発光ダイオードから形成された画像ピクセルを含む。
【０１８３】
別の実施形態によれば、フレキシブルディスプレイ層は、有機発光ダイオードから形成された画像ピクセルを含む。
【０１８４】
別の実施形態によれば、ディスプレイは、更に、凹状内面に合致するタッチセンサ層を含む。
【０１８５】
別の実施形態によれば、凹面ディスプレイは、更に、第１及び第２の接着剤層を含み、第１の接着剤層は、フレキシブルディスプレイ層をタッチセンサ層に取り付け、そして第２の接着剤層は、タッチセンサ層をディスプレイの凹状内面に取り付ける。
【０１８６】
別の実施形態によれば、タッチセンサ層は、インジウム・スズ酸化物電極を含む。
【０１８７】
別の実施形態によれば、電子装置は、更に、内部コンポーネントを備え、ディスプレイの凹状内面は、電子装置に対する付加的な内部容積を与え、そして内部コンポーネントは、その付加的な内部容積に少なくとも部分的にマウントされる。
【０１８８】
別の実施形態によれば、少なくとも前面及び後面を有し、更に、その前面と後面との間に介在された電子コンポーネントと、少なくとも前面及び後面を実質的に覆うと共に電子コンポーネントを取り巻くディスプレイとを備え、該ディスプレイは、少なくとも１つの内面を有する堅牢なカバー層と、その内面に合致するように曲げられたフレキシブルディスプレイ層とを含む、電子装置が提供される。
【０１８９】
別の実施形態によれば、ディスプレイは、更に、フレキシブルディスプレイ層の少なくとも一部分に取り付けられたタッチ感知層を含む。
【０１９０】
別の実施形態によれば、内面は、凹状内面を含み、そして電子装置は、更に、コネクタ構造体と、開口を有するハウジングとを備え、そのコネクタ構造体は、開口にマウントされて、コネクタポートを形成する。
【０１９１】
別の実施形態によれば、電子装置は、少なくとも２つの側壁面を有し、そしてディスプレイは、２つの側壁面を実質的にカバーする。
【０１９２】
別の実施形態によれば、ディスプレイは、少なくとも２つの縁を有し、そしてディスプレイの縁は、接合部材によって接合される。
【０１９３】
以上のことは、本発明の原理を単に例示するに過ぎず、本発明の範囲及び精神から逸脱せずに種々の変更が当業者により明らかであろう。以上の実施形態は、個々に具現化されてもよいし、又は任意の組み合わせで具現化されてもよい。
【０１９４】
図３０−４４の実施例に示すように、電子装置には、フレキシブルディスプレイ及び他のユーザインターフェイスコンポーネントが設けられる。ユーザインターフェイスコンポーネントは、ボタン；スイッチ；マイクロホン；ソレノイド、モータ及び圧電アクチュエータのようなアクチュエータ；コネクタポート；タッチスクリーン；接近センサ；並びに電子装置のユーザから入力を受け容れ或いはそこに情報を伝送するための他のコンポーネント；を含む。
【０１９５】
フレキシブルディスプレイは、フレキシブルディスプレイ層（例えば、フレキシブルな有機発光ダイオードアレイ）、フレキシブルタッチ感知層（例えば、容量性タッチセンサのための透明なキャパシタ電極のアレイをもつポリマーシート）、フレキシブル基板層、等のフレキシブルな層から形成される。これらのフレキシブルな層は、必要に応じて、フレキシブルな又は堅牢なカバー層（カバーガラスとも称される）により覆われるか、或いは支持構造体（例えば、フレキシブルな層の下面の堅牢な支持構造体）によって支持される。堅牢なカバー層で覆われるフレキシブルディスプレイを伴う電子装置では、ユーザインターフェイス装置の付近でディスプレイのフレキシブルな層へのアクセスを与える開口がカバー層に設けられる。例えば、カバーガラス層は、カバーガラス層に対してボタン部材を移動できるようにする開口を有する。別の例として、カバーガラス層は、音声が通過する１つ以上のスピーカ開口を有する。
【０１９６】
ユーザに視覚情報を表示するのに利用できるフレキシブルディスプレイの部分のエリアを最大にするために、ユーザインターフェイスコンポーネントは、フレキシブルディスプレイの後方に位置され、又はそれに当接され、又はそれに一体化される。フレキシブルディスプレイの変形可能な性質は、ディスプレイをユーザインターフェイスコンポーネントと接触させるように移動するか、又はディスプレイを局所的に撓ませることができるようにすることにより（例えば、音声がフレキシブルディスプレイを通過できるようにするか又は外部環境の気圧測定を内部圧力センサで行えるようにするために）、ユーザがユーザインターフェイスコンポーネント（入力／出力コンポーネント）と相互作用できるようにする。
【０１９７】
必要に応じて、フレキシブルディスプレイの一部分は、電気的コンポーネントの膜部分を形成する。例えば、フレキシブルディスプレイの一部分は、スピーカコンポーネントのスピーカ膜を形成する。フレキシブルディスプレイの一部分から形成される膜が設けられたコンポーネントは、スピーカ、マイクロホン、レーザマイクロホン、圧力センサ、等を含む。
【０１９８】
フレキシブルディスプレイが設けられた形式の電子装置が図３０に例示されている。この電子装置１０は、ディスプレイに一体化されるコンピュータのようなコンピュータである。例えば、電子装置１０は、コンピュータモニタ、ラップトップコンピュータ、タブレットコンピュータ、腕時計装置、ペンダント装置、或いは他の着用可能又は小型装置のような若干小さなポータブル装置、セルラー電話、メディアプレーヤ、タブレットコンピュータ、ゲーム装置、スピーカ装置、ナビゲーション装置、コンピュータモニタ、テレビジョン、又は他の電子装置である。
【０１９９】
装置１０は、ハウジング４１２のようなハウジングを備えている。時々ケースとも称されるハウジング４１２は、プラスチック、ガラス、セラミック、ファイバー複合物、金属（例えば、ステンレススチール、アルミニウム、等）、他の適当な材料、或いはそれら材料の組み合わせで形成される。ある状況において、ハウジング４１２の部分は、誘電体又は他の低導電率材料で形成される。他の状況において、ハウジング４１２、又はハウジング４１２を形成する構造体の少なくとも幾つかは、金属要素から形成される。
【０２００】
ハウジング４１２は、ハウジング４１２の若干又は全部が単一の構造体として加工又は成形されるユニボディ構成を使用して形成されるか、或いは複数の構造体（例えば、内部フレーム構造体、外部ハウジング面を形成する１つ以上の構造体、等）を使用して形成される。
【０２０１】
図３０に示すように、ハウジング４１２は、複数の部分を有する。例えば、ハウジング４１２は、上部４１２Ａ及び下部４１２Ｂを有する。上部４１２Ａは、該上部４１２Ａを下部４１２Ｂに対して回転軸４１６の周りで回転できるようにするヒンジを使用して、下部４１２Ｂに結合される。キーボード４１８のようなキーボード及びタッチパッド４２０のようなタッチパッドは、ハウジング部分４１２Ｂにマウントされる。
【０２０２】
装置１０は、フレキシブルディスプレイ４１４のようなフレキシブルディスプレイを有する。フレキシブルディスプレイ４１４は、複数の材料層で形成される。それらの層は、容量性タッチセンサアレイを形成するためにインジウム・スズ酸化物（ＩＴＯ）電極又は他の適当な透明電極のパターンが堆積される層のようなタッチセンサ層を含む。それらの層は、ディスプレイピクセルのアレイを含むディスプレイ層も含む。タッチセンサ層及びディスプレイ層は、（例えば）１０ミクロンから０．５ｍｍの厚み、又は０．２ｍｍ未満の厚み、又は他の適当な厚みを有するフレキシブルなポリマーシート（例えば、ポリイミド）又は他の基板を使用して形成される。
【０２０３】
ディスプレイピクセルアレイは、例えば、有機発光ダイオード（ＯＬＥＤ）アレイである。他の形式のフレキシブルディスプレイピクセルアレイも形成される（例えば、エレクトロウェッティングディスプレイ、電気泳動ディスプレイ、フレキシブル液晶ディスプレイ、フレキシブルエレクトロクロミックディスプレイ、等）。ＯＬＥＤ技術を使用して、フレキシブルディスプレイ４１４を形成することを、ここで一例として説明する。しかしながら、これは、単なる例示に過ぎない。一般的に、任意の適当な形式のフレキシブルディスプレイ技術を使用して、ディスプレイ４１４が形成される。
【０２０４】
これらの機能的ディスプレイ層（即ち、ＯＬＥＤアレイ及び任意のタッチセンサアレイ）に加えて、ディスプレイ４１４は、１つ以上の構造層を含んでもよい。例えば、ディスプレイ４１４は、フレキシブルな又は堅牢なカバー層で覆われ、及び／又は支持構造体（例えば、堅牢な支持体）にマウントされる。必要に応じて、接着剤の層を使用して、フレキシブルディスプレイ層を互いに取り付け、及び／又はフレキシブルディスプレイ層を、堅牢な及びフレキシブルな構造層にマウントすることができる。
【０２０５】
ある実施形態では、ディスプレイ４１４は、アクティブなエリアＡＡのようなアクティブなエリアと、エリアＩＡのようなインアクティブなエリアとを有する。アクティブなディスプレイエリアＡＡでは、画像ピクセルのアレイを使用して、テキスト及び画像を装置１０のユーザへ提示する。アクティブなエリアＡＡでは、ディスプレイ４１４は、装置１０のユーザとの相互作用及び入力のためのタッチ感知コンポーネントを含む。必要に応じて、中央部分ＡＡ及び周辺部分ＩＡの両方にディスプレイピクセルが設けられる（即ち、ハウジング上部４１２Ａの全体的に平坦な前面の全部又は実質的に全部にディスプレイピクセルが設けられる）。
【０２０６】
図３１の例では、装置１０は、ユーザの手の中に適合するに充分なほど小さいハウジングを使用して具現化される（例えば、図３１の装置１０は、セルラー電話のようなハンドヘルド電子装置である）。図３１に示すように、装置１０は、ハウジング４１２の前部にマウントされたディスプレイ４１４のようなディスプレイを備えている。ディスプレイ４１４は、アクティブなディスプレイピクセルが実質的に充填されてもよいし、又はアクティブな部分ＡＡのようなアクティブな部分を取り巻くインアクティブな部分ＩＡのようなインアクティブな部分を有してもよい。ディスプレイ４１４は、ボタン４２２を収容する開口及びスピーカポート４２４を収容する開口のような開口（例えば、ディスプレイ４１４のインアクティブな領域ＩＡ又はアクティブな領域ＡＡの開口）を有する。
【０２０７】
図３２は、電子装置１０がタブレットコンピュータの形態で具現化された構成の電子装置１０の斜視図である。図３２に示すように、ディスプレイ４１４は、ハウジング４１２の上面（前面）にマウントされる。ボタン４２２を収容するためにディスプレイ４１４に開口が形成される（例えば、アクティブな領域ＡＡを取り巻くインアクティブな領域ＩＡに開口が形成される）。
【０２０８】
図３３は、電子装置１０がテレビの形態で具現化されるか、又はコンピュータモニタに一体化されたコンピュータの形態で具現化された構成の電子装置１０の斜視図である。図３３に示すように、ディスプレイ４１４は、ハウジング４１２の前面にマウントされる。スタンド４２６を使用して、ハウジング４１２を支持する。ディスプレイ４１４は、アクティブな領域ＡＡを取り巻くインアクティブな領域ＩＡのようなインアクティブな領域を含む。
【０２０９】
例示的ディスプレイの分解斜視図が図３４に示されている。図３４に示すように、フレキシブルディスプレイ４１４は、フレキシブルディスプレイ層４１４Ａ及びタッチ感知層４１４Ｂを含む複数の層をスタックすることにより形成される。カバー層４６２のような任意のカバー層がフレキシブルディスプレイ４１４上に形成される。カバー層４６２は、ガラス、プラスチックの層、又は他の保護ディスプレイ層である。
【０２１０】
又、フレキシブルディスプレイ４１４は、他の材料層、例えば、接着剤層、光学フィルム、シール材層、又は他の適当な層も含む。フレキシブルディスプレイ層４１４Ａは、発光ダイオード（ＬＥＤ）、有機ＬＥＤ（ＯＬＥＤ）、プラズマセル、エレクトロウェッティングディスプレイ素子、電気泳動ディスプレイ素子、液晶ディスプレイ（ＬＣＤ）コンポーネント、又はフレキシブルディスプレイに適合する他の適当な画像ピクセル構造体から形成された画像ピクセルを含む。
【０２１１】
タッチ感知層４１４Ｂは、水平透明電極４３２及び垂直透明電極４３４のような容量性タッチ電極を合体する。タッチ感知層４１４Ｂは、一般的に、該タッチ感知層４１４Ｂにおける１つ以上のタッチ又は近タッチの位置を、容量性、抵抗性、光学的、音響的、誘導性又は機械的測定に基づいて、或いは１つ以上のタッチ、又はタッチ感知層４１４Ｂ付近の近タッチの発生に対して測定できる現象に基づいて、検出するように構成される。
【０２１２】
フレキシブルディスプレイ４１４は、ディスプレイピクセルアレイ層４１４Ａ及び任意のタッチセンサ層４１４Ｂから形成される。図３４の例では、タッチ感知層４１４Ｂは、カバー層４６２とフレキシブルディスプレイ層４１４Ａとの間に介在される。この構成は、単なる例示に過ぎない。必要に応じて、フレキシブルディスプレイ層４１４Ａがカバー層４６２とタッチ感知層４１４Ｂとの間に介在される（例えば、フレキシブルディスプレイ層４１４Ａがタッチ感知層４１４Ｂの頂部に配置される）。必要に応じて、タッチ感知層４１４Ｂ及びフレキシブルディスプレイ層４１４Ａは、単一の層として一体化される。例えば、電極４３２及び４３４のような容量性タッチ電極、並びにディスプレイピクセル４３０のようなディスプレイピクセルは、必要に応じて、共通の基板上に形成されてもよい。
【０２１３】
図３５は、フレキシブルディスプレイ層４１４Ａの一部分の断面側面図である。図３５に示すように、フレキシブルディスプレイ層４１４Ａは、複数のサブ層を含む。例えば、ディスプレイ層４１４Ａは、基板層４１５のような基板層を含む。基板層４１５は、ガラス、セラミック又はプラスチックのようなフレキシブルな又は堅牢な誘電体から形成される。一例として、基板層４１５は、１つ以上のフレキシブルなポリマー（例えば、ポリイミド）シートから形成される。基板層４１５は、（例えば）１０ミクロンから０．５ｍｍの厚み、０．２ｍｍ未満の厚み、又は他の適当な厚みを有する。
【０２１４】
ＴＦＴ層４１７のような薄膜トランジスタ（ＴＦＴ）層は、基板層４１５に形成された薄膜トランジスタ構造体（例えば、ポリシリコントランジスタ及び／又はアモルファスシリコントランジスタ）の層を含む。
【０２１５】
ＴＦＴ層４１７の上にはＯＬＥＤ層４１９のような有機放射層が形成される。ＯＬＥＤ層４１９は、図３４のディスプレイピクセル４３０のようなディスプレイピクセルを形成するのに使用される有機発光ダイオード構造体のアレイのような発光ダイオード材料を含む。
【０２１６】
ＯＬＥＤ層４１９及びＴＦＴ層４１７の構造体を保護するために、シール材層４２１のようなシール材層がＯＬＥＤ層４１９の上に形成される。シール材層４２１は、１つ以上のポリマー層（例えば、ＯＬＥＤ層４１９に堆積される１つ以上のポリマー層）、金属ホイル（例えば、ＯＬＥＤ層４１９に積層、スパッタ、蒸着又は他の仕方で付着される金属ホイルの層）、或いは他の適当なコーティング又は従順なカバーから形成される。
【０２１７】
電子装置１０には、電子装置１０のユーザに音声を与えるための１つ以上のスピーカ構造体が設けられる。図３６は、スピーカ構造体４４８のようなスピーカ構造体の付近における電子装置１０の一部分の断面側面図である。スピーカ構造体４４８で発生された音声は、フレキシブルディスプレイ４１４を通して装置１０の外部へ伝送される。フレキシブルディスプレイ４１４は、スピーカ４４８のスピーカ膜構造体として使用される。スピーカ４４８のスピーカ膜として働く部分４１４Ｍのような部分は、ディスプレイ４１４のアクティブな部分又はインアクティブな部分に配置される。スピーカ膜４１４Ｍがアクティブなディスプレイエリアを形成する構成は、フレキシブルディスプレイ４１４のアクティブな領域のサイズをそのインアクティブな領域に対して増加できるようにする。
【０２１８】
図３６に示すように、スピーカ構造体４４８は、トランスジューサ４５０のようなトランスジューサにより駆動される。トランスジューサ４５０は、装置１０の回路から電気的音声信号入力を受け取りそしてその電気的信号を音声へと変換する。図３６の例では、トランスジューサ４５０は、コイル４４２のようなコイルにより取り巻かれた磁石４４０のような磁石から形成される。磁石４４０は、フェライト材料、セラミック材料、鉄合金材料、希土類材料、他の適当な材料、又はそれら材料の組み合わせから形成される永久磁石である。コイル４４２は、銅、アルミニウム、銀、他の適当な材料、等で形成される。必要に応じて、磁石４４０を取り巻くコイルの１つ以上のセットがあってもよい。
【０２１９】
コイル４４２に電流が流れると、磁界が発生される。これは、コイル４４２が、永久磁石４４０によって発生される一定磁界と相互作用する磁界で可変電磁石として働くことができるようにする。例えば、電磁石の負の極は、永久磁石４４０の負の極により反発される。この反発で生じる磁力が磁石４４０をコイル４４２から強制的に離す。コイル４４２に流れる電流が方向を変えると、可変電磁石の極性が逆転する。コイル４４２の電流が方向を交番するときに、磁石４４０は、迅速に前後にプッシュされる（ｚ軸に沿って）。
【０２２０】
部分４１４Ｍのようなフレキシブルディスプレイ４１４の部分は、スピーカ４４８のスピーカ膜を形成する。磁石４４０がｚ軸に沿って前後に移動するにつれて、取り付けられたスピーカ膜４１４Ｍがスピーカ膜４１４Ｍの前方の空気を振動させ、音波を生成する。
【０２２１】
ある構成では、支持構造体４４６のような任意の支持構造体（時々補剛構造体又は補剛材とも称される）がトランスジューサ４５０とスピーカ膜４１４Ｍとの間に介在される。支持構造体４４６は、ディスプレイ４１４のスピーカ膜部分４１４Ｍを補剛するのに使用される。支持構造体４４６は、金属プレート、特殊な複合構造体（例えば、補剛材の層間に介在される発泡材の層、等）、他の支持材料又は補剛構造体、或いはそれらの材料の組み合わせから形成される。支持構造体４４６のような支持構造体を使用することで、スピーカ膜４１４Ｍは、磁石４４０の動きに、より正確に応答することができる。任意の支持構造体４４６が使用されない構成では、磁石４４０は、スピーカ膜構造体として働くディスプレイ４１４の部分４１４Ｍを補剛するように構成される。
【０２２２】
装置１０には、１つ以上のスピーカ構造体４４８がある。装置１０のスピーカ構造体４４８の幾つか又は全部が、フレキシブルディスプレイ４１４から形成されるスピーカ膜を有する。必要に応じて、フレキシブルディスプレイ４１４の幾つか、全部、又は実質的に全部が、１つのスピーカ、２つのスピーカ、３つのスピーカ、又は４つ以上のスピーカのスピーカ膜として使用される。
【０２２３】
懸架構造体４５４のような懸架構造体は、フレキシブルディスプレイ４１４の部分を、ハウジング４１２のような堅牢な支持構造体に取り付けるのに使用される。懸架構造体４５４は、スピーカ膜４１４Ｍがｘ軸及び／又はｙ軸に沿って横方向に移動するのを防止するが、スピーカ４４８が音を発生するときにスピーカ膜４１４Ｍがｚ軸に沿って自由に動けるようにする。懸架構造体４５４は、エラストマ材料、発泡材料、樹脂被覆材料、他の適当な材料、又はそれらの材料の組み合わせから形成される。図３６の例に示すように、懸架構造体４５４は、スピーカ膜４１４Ｍとハウジング側壁４１２Ｓとの間に柔軟なインターフェイスを形成する。これは、単なる例示に過ぎない。必要に応じて、懸架構造体４５４は、スピーカ膜４１４Ｍと、適当な周囲のハウジング構造体又は適当な堅牢な支持構造体との間に柔軟なインターフェイスを形成することができる。
【０２２４】
必要に応じて、他の懸架構造体がスピーカ構造体４４８に合体されてもよい。例えば、１つ以上の懸架構造体が磁石４４０に取り付けられる。この形式の懸架構造体は、磁石４４０を、磁力で変位された後に平衡位置へ復帰させる回復力を与える。
【０２２５】
スピーカ４４８により発生される望ましい周波数範囲は、多数のファクタに依存する。例えば、スピーカ４４８により発生される望ましい周波数範囲は、スピーカ４４８が具現化される電子装置の形式に依存し、装置１０におけるスピーカ４４８の位置に依存し、スピーカ構造体４４８と組み合わせて使用される他のスピーカ構造体に依存し、等である。スピーカ４４８から望ましい周波数応答を得るために設計上の選択がなされる。例えば、スピーカ４４８を形成するのに使用される材料は、望ましい周波数応答に基づいて選択される。
【０２２６】
又、スピーカ４４８を取り巻くエンクロージャーの形式も、望ましい周波数応答に基づいて選択される。例えば、スピーカを取り巻くエンクロージャーは、ポート付きである。図３６に示すように、ハウジング４１２には、音響ポート４５２のようなポート又は開口（時々通風筒、ホーン、通気口、穴、等とも称される）が任意に設けられる。ポート４５２は、ハウジング４１２の内部とハウジング４１２の外部との間の圧力を等化するのに使用される。これは、次いで、スピーカ４４８により発生される音波を増大する。図３６の例に示すポート付きエンクロージャーのようなポート付きエンクロージャーは、スピーカ４４８により発生される低周波数音波の大きさを増加する（例えば、ポート付きエンクロージャーを伴うスピーカは、シール型エンクロージャーを伴うスピーカより低音出力が大きい）。
【０２２７】
図３６に示すように、ポート４５２は、エンクロージャーへと突出する部分４５２Ｐのような部分を有する。この突出部分４５２Ｐのサイズ及び形状は、望ましい周波数応答を得るようにカスタマイズされる。例えば、ポート４５２の突出部分４５２Ｐは、開口４５２の直径が部分４５２Ｐの長さに沿って変化する「ホーン」形状を有する。突出部分４５２Ｐは、必要に応じて、カーブした形状を有する。一般的に、突出部分４５２Ｐは、適当な形状を有し、そして開口４５２は、適当なサイズを有する。ポート４５２の特性は、スピーカ４４８の望ましい周波数応答、装置１０の構造、等に依存し、そしてそれに応じて変更される。図３６に示す例は、単なる例示に過ぎない。
【０２２８】
必要に応じて、スピーカ４４８には、ポートをもたないシール型エンクロージャーが設けられる。ハウジング４１２にポート４５２が設けられる図３６の例は、単なる例示に過ぎない。スピーカ４４８が具現化されるエンクロージャーの形式（例えば、シール型エンクロージャー、ポート型エンクロージャー、等）は、スピーカ４４８の望ましい周波数応答、装置１０の構造、等に依存し、そしてそれに応じて変更される。
【０２２９】
電子装置１０は、内部コンポーネント４５６のような内部コンポーネント又は構造体を有する。内部コンポーネント４５６のような内部コンポーネントは、スピーカ４４８の共振周波数をチューニングするために任意に使用される。内部コンポーネント４５６は、バッテリ又は他の内部構造体である。必要に応じて、任意のコンポーネント４５６は、省略されてもよいし、又はスピーカ４４８の共振周波数をチューニングするために使用されなくてもよい。
【０２３０】
必要に応じて、ハウジング４１２は、任意の立ち上った部分４１２’のような１つ以上の立ち上った縁を有する。立ち上った部分４１２’は、その上面がディスプレイ４１４の上面の上に存在する（例えば、立ち上った部分４１２’の上面は、垂直方向ｚにおいて、フレキシブルディスプレイ４１４の上面より上に突出する）。任意の立ち上った部分４１２’は、ユーザが、ディスプレイ４１４のスピーカ機能を妨げることなく、装置１０を手で保持できるようにする。ハウジング４１２の立ち上った部分４１２’は、ディスプレイ４１４の全周を取り巻いてもよいし、或いはディスプレイ４１４の１つの辺、ディスプレイ４１４の２つの辺、ディスプレイ４１４の３つの辺、又はディスプレイ４１４の全４辺に配置されてもよい。又、立ち上った部分４１２’は、ハウジング４１２の一体的部分として形成されてもよいし、又はハウジング４１２に接触する個別の構造体として形成されてもよい。
【０２３１】
図３７は、スピーカ構造体４４８の別の考えられる実施形態の付近における電子装置１０の一部分の断面側面図である。図３７に示すように、スピーカ構造体４４８は、トランスジューサ４５０のようなトランスジューサにより駆動される。図３７の例では、トランスジューサ４５０は、磁石４４０のような磁石によって取り巻かれたコイル４４２の１つ以上の中央セットから形成される。ある構成では、コイル４４２の内部４４４が磁石構造体も収容する（例えば、コイル４４２は、磁石構造体を取り巻く）。コイル４４２の内部４４４に形成された磁石構造体は、外部磁石４４０の一体的部分として形成されるか（例えば、コイル４４２の上及び／又は下で接合されるか）、又は個別の磁石構造体である。必要に応じて、コイル４４２の内部４４４は、磁石構造体がなくてもよい。
【０２３２】
図３６のトランスジューサと同様に、図３７のトランスジューサ４５０は、装置１０の回路から電気的音声信号入力を受け取りそしてその電気的信号を音声へと変換するように構成される。コイル４４２に電流が流れると、磁界が発生される。コイル４４２によって発生された磁界は、永久磁石４４０により発生された一定磁界と相互作用する。電磁石と一定磁界との相互作用で、コイル４４２と磁石４４０との間に磁力（例えば、吸引力又は反発力）が生成される。コイル４４２に流れる電流が方向を変化すると、可変電磁石の極性（ひいては、磁力の方向）が逆転される。コイル４４２は、コイル４４２の電流が方向を交番するときに変化する磁力により（ｚ軸に沿って）前後にプッシュされる。
【０２３３】
コイル４４２が前後に動くときには、取り付けられたスピーカ膜４１４Ｍが、そのスピーカ膜４１４Ｍの前方の空気を振動させて、音波を生成する。支持構造体４４６を使用して、スピーカ膜４１４Ｍを補剛し、フレキシブルディスプレイ４１４の膜部分４１４Ｍがトランスジューサ４５０の動きに正確に応答するようにする。
【０２３４】
図３７の例において、スピーカ４４８には、ポートをもたないシール型エンクロージャーが設けられる。これは、単なる例示に過ぎない。適当な形式のエンクロージャー（例えば、シール型エンクロージャー、ポート型エンクロージャー、等）が使用されてもよい。スピーカ４４８が具現化されるエンクロージャーの形式は、スピーカ４４８の望ましい周波数応答、装置１０の構造、等に依存し、そしてそれに応じて変更される。
【０２３５】
図３８は、スピーカ構造体４４８の別の考えられる実施形態の付近における装置１０の一部分の断面側面図である。図３８の例では、スピーカ４４８は、装置１０内の堅牢な構造体、例えば、堅牢な構造体４６６により支持される。この堅牢な構造体４６６は、ハウジング構造体又は内部コンポーネントから形成されてもよいし、或いはスピーカ４４８のフレーム（時々シャーシ又は「バスケット」とも称される）又は他の堅牢な支持構造体を形成するのに使用される専用の構造体でもよい。懸架構造体４５４は、スピーカ４４８と堅牢な構造体４６６との間に柔軟なインターフェイスを形成するのに使用される。（懸架構造体４５４がハウジング側壁４１２Ｓに取り付けられた）図７及び８の懸架構造体と同様に、図３８の懸架構造体４５４は、ディスプレイ４１４のスピーカ膜部分４１４Ｍがｘ軸及び／又はｙ軸に沿って横方向に動くのを防止するが、スピーカ４４８が音を発生するときにはｚ軸に沿ってスピーカ膜４１４Ｍが自由に動けるようにする。懸架構造体４５４は、スピーカ４４８の適当な部分（例えば、支持構造体４４６、磁石４４０、スピーカ膜部分４１４Ｍ、等）に取り付けられる。
【０２３６】
図３８に示す構成体の形式は、スピーカ４４８がハウジング側壁４１２Ｓの付近にない構成、又はスピーカ４４８がハウジング４１２に取り付けられない他の構成について有益である。例えば、スピーカ４４８は、大きなディスプレイの中央部分に配置される。この形式の構成では、図３８の堅牢な構造体４６６のような堅牢な構造体を使用して、必要に応じて、スピーカ４４８を支持することができる。
【０２３７】
装置１０には、１つ以上のスピーカ４４８がある。共通の堅牢な構造体４６６に複数のスピーカ４４８が取り付けられるか、又は個別の堅牢な構造体４６６に各スピーカ４４８が取り付けられる。
【０２３８】
必要に応じて、任意のカバー層４６２のようなカバー層がフレキシブルディスプレイ４１４の上に形成される。カバー層４６２は、ガラス、プラスチック、又は他の適当な材料から形成される。カバー層４６２は、ユーザが、ディスプレイ４１４のスピーカ機能を妨げることなく、装置１０を手で保持できるようにする。又、カバー層４６２は、装置１０のディスプレイ４１４及び他の部品を保護するように働きながら、スピーカ４４８が音を発生するときにスピーカ膜４１４Ｍがｚ軸に沿って自由に動けるようにする。カバー層４６２は、ディスプレイ４１４と接触してもよいし、又はカバー層４６２とディスプレイ４１４との間にギャップ４６３が介在してもよい。ギャップ４６３は、空気が充填されてもよいし、又はシール材の層のような材料層を含んでもよい（一例として）。
【０２３９】
穴４６４のような１つ以上の穴（時々開口又はスピーカ開口とも称される）がカバー層４６２に形成されて、スピーカ４４８から装置１０の外部へ音が通過できるようにする。
【０２４０】
図３９は、カバー層４６２に穴４６４をどのように形成するか示す装置１０の斜視図である。図３９に示すように、１つ以上のスピーカの前方に開口のアレイが形成される「スピーカグリル」形態で穴４６４が形成される。穴４６４は、カバー層４６２の適当な位置に形成される。例えば、穴４６４は、スピーカ構造体に重畳するカバー層４６２の局所的エリアに形成されるか、或いは穴４６４は、ディスプレイ４１４の前面の若干、全部又は実質的に全部を覆う均一なアレイで形成されてもよい。穴４６４は、適当なサイズでよい。例えば、穴４６４は、直径が０．２５ｍｍから０．５ｍｍ、０．５ｍｍから１ｍｍ、１ｍｍから１．５ｍｍ、１．５ｍｍ以上、１．５ｍｍ未満、等である。カバー層４６２に形成される開口４６４のサイズ、形状及び個数は、装置１０におけるスピーカ４４８の形式及び個数に依存する。
【０２４１】
図４０は、支持構造体４４６の付近における装置１０の断面側面図である。支持構造体４４６は、フレキシブルディスプレイ４１４の部分を補剛するのに使用される。図３６を参照して述べたように、補剛構造体４４６は、金属プレート、ファイバベースの複合材料、１つ以上の材料のラミネート層、又は他の適当な材料から形成される。図４０の例に示すように、補剛構造体４４６は、第１及び第２の補剛シート４７２間に介在された発泡材４７４の層から形成される。シート４７２は、ポリマー、金属、ガラス、セラミック、ファイバベースの複合体、又は他の適当な材料から形成される。この形式の構造体は、ディスプレイ４１４のための硬く且つ軽量の支持構造体である。必要に応じて、支持構造体４４６は、ディスプレイ４１４のスピーカ膜部分４１４Ｍを補剛するのに使用されるか、ディスプレイ４１４の他の部分を補剛するのに使用されるか、又はディスプレイ４１４の全部又は実質的に全部を補剛するのに使用される。
【０２４２】
支持構造体４４６は、任意の望ましい形態に整形される。例えば、支持構造体４４６は、カーブしてもよいし、平面でもよいし、或いはカーブした部分及び平面部分の組み合わせでもよい。
【０２４３】
図４１は、カーブした支持構造体４４６の付近における装置１０の断面側面図である。図４１に示すように、フレキシブルディスプレイ４１４は、補剛構造体４４６の形状に合致する。図４１の例では、補剛構造体４４６は、フレキシブルディスプレイ４１４が凹状となるようにカーブした形状を有する。しかしながら、これは、単なる例示に過ぎない。一般的に、補剛構造体４４６及びディスプレイ４１４の取り付け部分は、任意の適当な形状でよい。例えば、補剛構造体４４６は、フレキシブルディスプレイ４１４が凸状となるようにカーブした形状を有する。ディスプレイ４１４が凹状である図４１の例は、ディスプレイ４１４がスピーカ４４８のスピーカ膜を形成する構成に適している。凹状のスピーカ膜は、スピーカ４４８により発生される音声の質を改善する。凸状膜を伴うスピーカも使用できる。
【０２４４】
図４２は、単一スピーカ構造体の付近における装置１０の断面側面図である。図４２に示すように、フレキシブルディスプレイ４１４の部分４１４Ｍは、スピーカ構造体４４８のスピーカ膜を形成する。スピーカ４４８のトランスジューサ４５０は、適当な形式のトランスジューサである（例えば、１セット以上のコイルが磁石により取り囲まれたもの、１セット以上のコイルが磁石を取り囲むもの、圧電トランスジューサ、マイクロホントランスジューサ、センサ、アクチュエータ、等）。スピーカ４４８は、装置１０における唯一のスピーカでもよいし、又は装置１０における複数のスピーカの１つでもよい。ディスプレイベースのスピーカ構造体４４８は、ディスプレイベースでないスピーカ構造体に関連して使用される。例えば、装置１０には、ディスプレイ４１４をスピーカ膜として使用しない他のスピーカもある。図４２のスピーカ構造体４４８は、ディスプレイ４１４の全部又は実質的に全部をスピーカ膜として使用してもよいし（例えば、装置１０の前面全体がスピーカにより占有される）、或いはディスプレイ４１４の一部分だけをスピーカ膜として使用してもよい。
【０２４５】
図４３の例では、トランスジューサ４５０のアレイを使用して、複数のディスプレイベースのスピーカ４４８を形成する。ディスプレイベースのスピーカ構造体４４８は、ディスプレイベースでないスピーカ構造体に関連して使用される。各ディスプレイベースのスピーカ４４８は、それに関連したトランスジューサ４５０を有している。各関連トランスジューサ４５０は、任意の適当な形式のトランスジューサである（例えば、１セット以上のコイルが磁石により取り囲まれたもの、１セット以上のコイルが磁石を取り囲むもの、圧電トランスジューサ、マイクロホントランスジューサ、センサ、アクチュエータ、等）。使用するトランスジューサ４５０の形式は、スピーカ４４８ごとに異なってもよい（例えば、図４３のスピーカ４４８のアレイは、必要に応じて、異なる形式のトランスジューサを含んでもよい）。スピーカ４４８に、異なる形式のトランスジューサ、異なる構造、及び異なる特性を設けることで、装置１０は、広範囲な周波数をもつ音声を発生することができる。
【０２４６】
図４４は、装置１０の一部分の下面図で、図４３に示すアレイのようなディスプレイベースのスピーカのアレイを装置１０においてどのように具現化するか示している。図４４の例では、支持構造体４４６がディスプレイ４１４の下面に形成される。支持構造体４４６は、ディスプレイ４１４のスピーカ膜部分４１４Ｍを補剛するのに使用される（例えば、支持構造体４４６は、トランスジューサ４５０とディスプレイ４１４との間に介在される）。又、支持構造体４４６は、隣接するスピーカ４４８間のディスプレイ４１４の部分を補剛するのにも使用される。
【０２４７】
各スピーカ４４８は、支持構造体４４６により補剛されないフレキシブルディスプレイ４１４のリング４１４’により取り囲まれる。フレキシブルディスプレイ４１４のフレキシブルリング状部分４１４’は、隣接スピーカ４４８間の干渉を防止するバリア構造体を各スピーカ４４８の周りに与える。例えば、スピーカ膜４１４Ｍが振動するときに、リング４１４’（支持構造体４４６により取り囲まれた）は、ディスプレイ４１４において横方向（例えば、ｘ軸及び／又はｙ軸に沿った方向）に動く振動を吸収する。これは、隣接スピーカ４４８が、隣接スピーカの振動により妨げられずに独立して動作できるようにする。
【０２４８】
必要に応じて、スピーカ４４８は、種々のスピーカ形式を含む。スピーカ４４８に使用されるスピーカ形式は、例えば、サブウーハ、ウーハ、中間域スピーカ、ツイータ、スーパーウーハ、等を含む。必要に応じて、音声入力の異なるチャンネルが各スピーカへルーティングされる。例えば、スピーカ４４８は、中央チャンネルスピーカ、左チャンネルスピーカ、右チャンネルスピーカ、周囲チャンネルスピーカ、等を含む。スピーカ４４８の適当な特性は（例えば、サイズ、形式、位置、入力チャンネル、等）は、望ましい周波数応答を達成し及び／又は装置１０の構造体を収容するように変更される。
【０２４９】
フレキシブルディスプレイと、１つ以上のディスプレイベースのスピーカ構造体とを備えた電子装置が提供される。スピーカ構造体は、フレキシブルディスプレイの下に位置される。フレキシブルディスプレイの部分は、スピーカ構造体のスピーカ膜として使用される。スピーカ構造体は、電気的音声信号を音響に変化するトランスジューサにより駆動される。コイル及び磁石から形成された圧電トランスジューサ（１つ又は複数）は、スピーカ構造体を駆動するのに使用される。フレキシブルディスプレイのアクティブなディスプレイエリアからスピーカ膜が形成される。フレキシブルディスプレイの若干、全部、又は実質的に全部が、１つ以上のディスプレイベースのスピーカ構造体に対するスピーカ膜として使用される。任意のカバー層には、スピーカ開口が設けられ、ディスプレイベースのスピーカ構造体から装置の外部へ音声が通過される。
【０２５０】
別の実施形態によれば、フレキシブルディスプレイと、スピーカ膜を有するスピーカ構造体とを備え、スピーカ膜は、フレキシブルディスプレイの一部分から形成されたものである、電子装置が提供される。
【０２５１】
別の実施形態によれば、電子装置は、更に、スピーカ膜を形成するフレキシブルディスプレイの一部分を補剛するように構成された補剛構造体を備えている。
【０２５２】
別の実施形態によれば、補剛構造体は、発泡材の層を含む。
【０２５３】
別の実施形態によれば、補剛構造体は、発泡材層の第１及び第２の互いに逆の面に取り付けられる第１及び第２の補剛シートを含む。
【０２５４】
別の実施形態によれば、フレキシブルディスプレイは、画像を表示するように構成されたアクティブな部分を含み、そしてスピーカ膜は、フレキシブルディスプレイのそのアクティブな部分から形成される。
【０２５５】
別の実施形態によれば、電子装置は、更に、堅牢な構造体と、該堅牢な構造体にスピーカ構造体の一部分を取り付けるように構成された懸架構造体とを備えている。
【０２５６】
別の実施形態によれば、電子装置は、更に、フレキシブルディスプレイがマウントされる電子装置ハウジングを備え、堅牢な構造体は、少なくとも一部分が電子装置ハウジングから形成される。
【０２５７】
別の実施形態によれば、電子装置は、更に、フレキシブルディスプレイの上に形成されたカバー層を備え、そのカバー層は、スピーカ膜の上に形成された少なくとも１つの開口を含む。
【０２５８】
別の実施形態によれば、電子装置は、更に、フレキシブルディスプレイがマウントされる電子装置ハウジングを備え、その電子装置ハウジングは、少なくとも１つの音響ポートを有する。
【０２５９】
別の実施形態によれば、フレキシブルディスプレイは、ポリマーのフレキシブルシートから形成された基板を有する有機発光ダイオードディスプレイを含む。
【０２６０】
別の実施形態によれば、フレキシブルディスプレイと、複数のスピーカ構造体とを備え、フレキシブルディスプレイの部分が複数のスピーカ構造体のスピーカ膜を形成する電子装置が提供される。
【０２６１】
別の実施形態によれば、電子装置は、更に、スピーカ膜を形成するフレキシブルディスプレイの部分を補剛するように構成された複数の補剛構造体を備えている。
【０２６２】
別の実施形態によれば、フレキシブルディスプレイは、補剛領域のセットであって、該補剛領域のセットにおける各補剛領域が各スピーカ構造体の一部分を形成するような補剛領域のセットと、フレキシブル領域であって、その各々が補剛領域のセットにおける各補剛領域を取り囲むようなフレキシブル領域と、取り囲み補剛領域であって、その部分により各フレキシブル領域を取り囲むような取り囲み補剛領域とを含む。
【０２６３】
別の実施形態によれば、スピーカ構造体は、左チャンネルスピーカ及び右チャンネルスピーカを含む。
【０２６４】
別の実施形態によれば、電子装置は、更に、スピーカ構造体を駆動するように構成されたトランスジューサを備え、各トランスジューサは、コイル及び磁石を含む。
【０２６５】
別の実施形態によれば、電子装置は、更に、スピーカ構造体を駆動するように構成された圧電トランスジューサを備えている。
【０２６６】
別の実施形態によれば、フレキシブルディスプレイは、ポリマーのフレキシブルシートから形成された基板を有する有機発光ダイオードディスプレイを含む。
【０２６７】
別の実施形態によれば、ハウジングと、該ハウジングにマウントされたフレキシブルな有機発光ダイオードディスプレイであって、ポリマーのフレキシブルシートから形成された基板を有するフレキシブルな有機発光ダイオードディスプレイと、ポリマーのフレキシブルシートの一部分から形成されたスピーカ膜を有する少なくとも１つのスピーカとを備えたポータブル電子装置が提供される。
【０２６８】
別の実施形態によれば、ポータブル電子装置は、更に、少なくとも１つのスピーカとスピーカ膜との間に介在された補剛構造体を備え、その補剛構造体は、複合材料を含む。
【０２６９】
別の実施形態によれば、スピーカ膜は、凹状である。
【０２７０】
別の実施形態によれば、ハウジングは、４つの周囲縁をもつ長方形ハウジングを含み、フレキシブルな有機発光ダイオードディスプレイ及びスピーカ膜は、その４つの周囲縁の間に延びる。
【０２７１】
以上の説明は、本発明の原理を単に例示するものに過ぎず、当業者であれば、本発明の範囲及び精神から逸脱せずに種々の変更がなされ得るであろう。以上の実施形態は、個々に具現化されてもよいし、任意の組み合わせで具現化されてもよい。
【符号の説明】
【０２７２】
１０：電子装置
１２：ハウジング
１４：フレキシブルディスプレイ
１４Ａ：フレキシブルディスプレイ層
１４Ｂ：タッチ感知層
１４Ｃ：カバー層
１６：円形開口
１８：スピーカポート開口
１７：ボタン
１９：オーディオコンポーネント
２０Ｉ：周囲領域
２０Ａ：長方形の中央領域
２２、２４、２６：インターフェイスコンポーネント
３２：水平透明電極
３４：垂直透明電極
４０、４２：方向
５０：支持構造体
５２：ボタン部材
５４：プリント回路板
５６：ドームスイッチ
７０：ダイアフラム
７２：コイル
７４：磁石
８０：レーザコンポーネント
８２：レーザ吸収コンポーネント
８４：レーザビーム
８６：反射レーザビーム
８８：距離
９０：圧電アクチュエータ
１００：コンポーネント
１０１：一部分
１０２：変形
１１０：アクチュエータ段
１２２：カバー部材
１２４：アクチュエータスイッチ
１３０：アクチュエータ
１４０：圧力感知モジュール
１４２：接触部材
１４４：電気接点
２００：ベゼル
２０４：開口
２１０：支持構造体
２１２：接着剤層
２１６、２１８：容積
２２０：コンポーネント
２３０：接着剤層
２４０：落下面
２４４：高さ
２４８：最大深さ
【図１】
0005841175.tif 000002
【図２】
0005841175.tif 000003
【図３】
0005841175.tif 000004
【図４】
0005841175.tif 000005
【図５】
0005841175.tif 000006
【図６】
0005841175.tif 000007
【図７】
0005841175.tif 000008
【図８】
0005841175.tif 000009
【図９】
0005841175.tif 000010
【図１０】
0005841175.tif 000011
【図１１】
0005841175.tif 000012
【図１２】
0005841175.tif 000013
【図１３】
0005841175.tif 000014
【図１４】
0005841175.tif 000015
【図１５】
0005841175.tif 000016
【図１６】
0005841175.tif 000017
【図１７】
0005841175.tif 000018
【図１８】
0005841175.tif 000019
【図１９】
0005841175.tif 000020
【図２０】
0005841175.tif 000021
【図２１】
0005841175.tif 000022
【図２２】
0005841175.tif 000023
【図２３】
0005841175.tif 000024
【図２４】
0005841175.tif 000025
【図２５】
0005841175.tif 000026
【図２６】
0005841175.tif 000027
【図２７】
0005841175.tif 000028
【図２８】
0005841175.tif 000029
【図２９】
0005841175.tif 000030
【図３０】
0005841175.tif 000031
【図３１】
0005841175.tif 000032
【図３２】
0005841175.tif 000033
【図３３】
0005841175.tif 000034
【図３４】
0005841175.tif 000035
【図３５】
0005841175.tif 000036
【図３６】
0005841175.tif 000037
【図３７】
0005841175.tif 000038
【図３８】
0005841175.tif 000039
【図３９】
0005841175.tif 000040
【図４０】
0005841175.tif 000041
【図４１】
0005841175.tif 000042
【図４２】
0005841175.tif 000043
【図４３】
0005841175.tif 000044
【図４４】
0005841175.tif 000045